(57)【要約】【課題】検者及び被検者への負担を軽減し、波長掃引速度を変更しながら複数の計測範囲のＯＣＴ計測を行うための新たな技術を提供する。【解決手段】眼科装置は、波長掃引速度を変更可能な波長掃引光源からの光に基づいてＯＣＴ計測を行うための干渉光学系と、所定のサンプリング周波数でＯＣＴ計測により得られた干渉光の検出結果をサンプリングするサンプリング部と、被検眼と干渉光学系とを相対的に移動する移動機構と、制御部とを含む。制御部は、第１波長掃引速度で掃引される波長掃引光源からの光を用いてＯＣＴ計測を実行させる第１計測制御と、第１計測制御の後に波長掃引速度を第２波長掃引速度に変更する波長掃引速度制御と、第２波長掃引速度で掃引される波長掃引光源からの光を用いてＯＣＴ計測を実行させる第２計測制御とを行う。【選択図】図３
2020010889.tif 000002
【特許請求の範囲】
【請求項１】
波長掃引速度を変更可能な波長掃引光源からの光を測定光と参照光とに分割し、前記測定光を被検眼に照射し、前記被検眼からの戻り光と前記参照光との干渉光を検出する干渉光学系と、
所定のサンプリング周波数で前記干渉光の検出結果をサンプリングするサンプリング部と、
前記干渉光学系を制御することにより第１波長掃引速度で掃引される前記波長掃引光源からの光を用いてＯＣＴ計測を実行させる第１計測制御と、前記第１計測制御の後に前記波長掃引光源を制御することにより前記波長掃引速度を第２波長掃引速度に変更する波長掃引速度制御と、前記波長掃引速度制御の後に前記干渉光学系を制御することにより前記第２波長掃引速度で掃引される前記波長掃引光源からの光を用いてＯＣＴ計測を実行させる第２計測制御とを行う制御部と、
を含む眼科装置。
【請求項２】
前記サンプリング部によりサンプリングされた前記検出結果に対して所定の解析処理を行う解析部を含み、
前記制御部は、前記第２計測制御の後に、前記第１計測制御により得られた前記検出結果及び前記第２計測制御により得られた前記検出結果の少なくとも１つに対して前記所定の解析処理を前記解析部に実行させる
ことを特徴とする請求項１に記載の眼科装置。
【請求項３】
前記サンプリング部によりサンプリングされた前記検出結果に基づいて前記被検眼の画像を形成する画像形成部を含み、
前記制御部は、前記第２計測制御の後に、前記第１計測制御により得られた前記検出結果及び前記第２計測制御により得られた前記検出結果の少なくとも１つに基づいて前記画像を前記画像形成部に形成させる
ことを特徴とする請求項１又は請求項２に記載の眼科装置。
【請求項４】
前記被検眼と前記干渉光学系とを相対的に移動する移動機構を含み、
前記制御部は、前記第１計測制御の前に、前記移動機構を制御することにより前記被検眼に対する前記干渉光学系の位置を調整する予備制御を行う
ことを特徴とする請求項１〜請求項３のいずれか一項に記載の眼科装置。
【請求項５】
前記干渉光学系は、前記測定光の光路に沿って移動可能な合焦レンズを含み、
前記予備制御は、前記合焦レンズを移動することにより前記測定光の焦点位置を調整するフォーカス制御を含む
ことを特徴とする請求項４に記載の眼科装置。
【請求項６】
前記干渉光学系は、前記測定光の偏波状態を変更する偏波コントローラを含み、
前記予備制御は、前記偏波コントローラを制御することにより前記測定光の偏波状態を調整する偏波調整制御を含む
ことを特徴とする請求項４又は請求項５に記載の眼科装置。
【請求項７】
前記干渉光学系は、前記測定光の光路と前記参照光の光路との光路長差を変更する光路長差変更部を含み、
前記制御部は、前記第１計測制御の前に前記光路長差変更部を制御することにより前記被検眼における所定の位置が深さ範囲の基準位置になるように前記光路長差を調整する光路長差調整制御を行う
ことを特徴とする請求項１〜請求項６のいずれか一項に記載の眼科装置。
【請求項８】
前記所定の位置は、強膜に対して第１距離だけ後方の位置である
ことを特徴とする請求項７に記載の眼科装置。
【請求項９】
前記所定の位置は、角膜に対して第２距離だけ前方の位置である
ことを特徴とする請求項７に記載の眼科装置。
【請求項１０】
前記第１波長掃引速度及び前記第２波長掃引速度の一方は、角膜から強膜までの範囲を含む第１深さ範囲に対応した波長掃引速度であり、
前記第１波長掃引速度及び前記第２波長掃引速度の他方は、前記第１深さ範囲より狭い第２深さ範囲に対応した波長掃引速度である
ことを特長とする請求項１〜請求項９のいずれか一項に記載の眼科装置。
【請求項１１】
波長掃引速度を変更可能な波長掃引光源からの光を測定光と参照光とに分割し、前記測定光を被検眼に照射し、前記被検眼からの戻り光と前記参照光との干渉光を検出する干渉光学系と、
所定のサンプリング周波数で前記干渉光の検出結果をサンプリングするサンプリング部と、
少なくとも前記干渉光学系を制御する制御部と、
を含む眼科装置の制御方法であって、
前記制御部が前記干渉光学系を制御することにより第１波長掃引速度で掃引される前記波長掃引光源からの光を用いてＯＣＴ計測を実行させる第１計測制御ステップと、
前記第１計測制御ステップの後に、前記制御部が前記波長掃引光源を制御することにより前記波長掃引速度を第２波長掃引速度に変更する波長掃引速度制御ステップと、
前記波長掃引速度制御ステップの後に、前記制御部が前記干渉光学系を制御することにより前記第２波長掃引速度で掃引される前記波長掃引光源からの光を用いてＯＣＴ計測を実行させる第２計測制御ステップと、
を含む眼科装置の制御方法。
【請求項１２】
前記眼科装置は、前記サンプリング部によりサンプリングされた前記検出結果に対して所定の解析処理を行う解析部を含み、
前記第２計測制御ステップの後に、前記制御部が前記第１計測制御ステップ及び前記第２計測制御ステップの少なくとも一方において得られた前記検出結果に対して前記所定の解析処理を前記解析部に実行させる解析ステップを含む
ことを特徴とする請求項１１に記載の眼科装置の制御方法。
【請求項１３】
前記眼科装置は、前記サンプリング部によりサンプリングされた前記検出結果に基づいて前記被検眼の画像を形成する画像形成部を含み、
前記第２計測制御ステップの後に、前記制御部が前記第１計測制御ステップ及び前記第２計測制御ステップの少なくとも一方において得られた前記検出結果に基づいて前記画像を前記画像形成部に形成させる画像形成ステップを含む
ことを特徴とする請求項１１又は請求項１２に記載の眼科装置の制御方法。
【請求項１４】
前記眼科装置は、前記被検眼と前記干渉光学系とを相対的に移動する移動機構を含み、
前記第１計測制御ステップの前に、前記制御部が前記移動機構を制御することにより前記被検眼に対する前記干渉光学系の位置を調整する予備制御ステップを含む
ことを特徴とする請求項１１〜請求項１３のいずれか一項に記載の眼科装置の制御方法。
【請求項１５】
前記干渉光学系は、前記測定光の光路に沿って移動可能な合焦レンズを含み、
前記予備制御ステップは、前記合焦レンズを移動することにより前記測定光の焦点位置を調整するフォーカス制御ステップを含む
ことを特徴とする請求項１４に記載の眼科装置の制御方法。
【請求項１６】
前記干渉光学系は、前記測定光の偏波状態を変更する偏波コントローラを含み、
前記予備制御ステップは、前記偏波コントローラを制御することにより前記測定光の偏波状態を調整する偏波調整制御ステップを含む
ことを特徴とする請求項１４又は請求項１５に記載の眼科装置の制御方法。
【請求項１７】
前記干渉光学系は、前記測定光の光路と前記参照光の光路との光路長差を変更する光路長差変更部を含み、
前記第１計測制御ステップの前に前記光路長差変更部を制御することにより前記被検眼における所定の位置が深さ範囲の基準位置になるように前記光路長差を調整する光路長差調整制御ステップを含む
ことを特徴とする請求項１１〜請求項１６のいずれか一項に記載の眼科装置の制御方法。
【請求項１８】
前記所定の位置は、強膜に対して第１距離だけ後方の位置である
ことを特徴とする請求項１７に記載の眼科装置の制御方法。
【請求項１９】
前記所定の位置は、角膜に対して第２距離だけ前方の位置である
ことを特徴とする請求項１７に記載の眼科装置の制御方法。
【発明の詳細な説明】
【技術分野】
【０００１】
この発明は、眼科装置、及びその制御方法に関する。
【背景技術】
【０００２】
近年、レーザ光源等からの光ビームを用いて被測定物体の形態を測定したり画像化したりする光コヒーレンストモグラフィ（Ｏｐｔｉｃａｌ  Ｃｏｈｅｒｅｎｃｅ  Ｔｏｍｏｇｒａｐｈｙ：ＯＣＴ）が注目を集めている。ＯＣＴは、Ｘ線ＣＴ（Ｃｏｍｐｕｔｅｄ  Ｔｏｍｏｇｒａｐｈｙ）のような人体に対する侵襲性を持たないことから、特に医療分野や生物学分野における応用の展開が期待されている。例えば、眼科分野においては、眼底や角膜等の画像を形成する装置が実用化されている。このようなＯＣＴを用いた装置（ＯＣＴ装置）は被検眼の様々な部位（眼底や前眼部）の計測や観察に適用可能である。また、高精細な画像を取得できることから、様々な眼科疾患の診断に応用されている。
【０００３】
ＯＣＴを実現する手法については様々なものが提案されている。その中でもスウェプトソース（Ｓｗｅｐｔ  Ｓｏｕｒｃｅ）ＯＣＴ（ＳＳ−ＯＣＴ）は、画像を高速に取得したり、観察部位の深部を高感度に測定したりすることが可能である。このようなスウェプトソースＯＣＴは、波長掃引光源により所定の波長範囲を掃引して測定光の波長を高速に変化させることで観察部位の深さ方向の情報を取得する。
【０００４】
例えば、非特許文献１には、波長掃引速度を変更可能な波長掃引光源が開示されている。Ａ／Ｄコンバータ等により一定のサンプリング速度で干渉光の検出結果をサンプリングする場合、波長掃引光源において波長掃引速度を変更することで、深さ方向のＯＣＴ計測範囲を変更することができる（波長掃引幅が一定、深さ方向の分解能が一定の場合）。
【０００５】
非特許文献２には、スウェプトソースＯＣＴにおける深さ方向のＯＣＴ計測範囲が式（１）で表されることが開示されている。式（１）において、ｚｍａｘは深さ方向のＯＣＴ計測範囲を表し、αは係数を表し、λｃは中心波長を表し、Δλは波長掃引幅を表し、ｆｓはＡ／Ｄコンバータのサンプリング速度を表し、ｆｓｗｅｅｐは波長掃引速度を表す。
【０００６】
【数１】
2020010889.tif 000003
【先行技術文献】
【非特許文献】
【０００７】
【非特許文献１】Ｉｒｅｎｅｕｓｚ  Ｇｒｕｌｋｏｗｓｋｉ  ｅｔ  ａｌ．，  “Ｒｅｔｉｎａｌ，  ａｎｔｅｒｉｏｒ  ｓｅｇｍｅｎｔ  ａｎｄ  ｆｕｌｌ  ｅｙｅ  ｉｍａｇｉｎｇ  ｕｓｉｎｇ  ｕｌｔｒａｈｉｇｈ  ｓｐｅｅｄ  ｓｗｅｐｔ  ｓｏｕｒｃｅ  ＯＣＴ  ｗｉｔｈ  ｖｅｒｔｉｃａｌ−ｃａｖｉｔｙ  ｓｕｒｆａｃｅ  ｅｍｉｔｔｉｎｇ  ｌａｓｅｒｓ”，  Ｂｉｏｍｅｄｉｃａｌ  Ｏｐｔｉｃｓ  Ｅｘｐｒｅｓｓ，米国，２０１２年１０月３日，  Ｖｏｌ．３，  Ｎｏ．１１，  ｐｐ．２７３３−２７５１
【非特許文献２】Ｔ．Ｋｌｅｉｎ  ａｎｄ  Ｒ．Ｈｕｂｅｒ，  “Ｈｉｇｈ−ｓｐｅｅｄ  ＯＣＴ  ｌｉｇｈｔ  ｓｏｕｒｃｅｓ  ａｎｄ  ｓｙｓｔｅｍｓ  ［Ｉｎｖｉｔｅｄ］”，  Ｂｉｏｍｅｄｉｃａｌ  Ｏｐｔｉｃｓ  Ｅｘｐｒｅｓｓ，米国，２０１７年１月１３日，  Ｖｏｌ．８，  Ｎｏ．２，  ｐｐ．８２３−８５９
【発明の概要】
【発明が解決しようとする課題】
【０００８】
スウェプトソースＯＣＴでは、式（１）に示すように、波長掃引速度を変更することによりＯＣＴ計測範囲を変更することができる。波長掃引速度を高速化することで、固視ずれの影響を低減し、高精度なＯＣＴ計測結果を取得するが可能になる。また、波長掃引速度の高速化は、高画質のＯＣＴアンギオグラフィ（ＯＣＴ  Ａｎｇｉｏｇｒａｐｈｙ：ＯＣＴＡ）像の取得にも有効である。これに対して、式（１）に示すように、全眼球ＯＣＴ撮影など、深さ範囲が広いＯＣＴ計測には、低速な波長掃引速度が求められる。
【０００９】
しかしながら、例えば、臨床研究用途やスクリーニング用途において、波長掃引速度を変更しながら複数の計測範囲のＯＣＴ計測を行う場合、ユーザにとって波長掃引速度の変更に手間がかかる上に、検査時間が長くなる。その結果、検者及び被検者への負担が重くなる。
【００１０】
本発明は、このような事情を鑑みてなされたものであり、その目的は、検者及び被検者への負担を軽減し、波長掃引速度を変更しながら複数の計測範囲のＯＣＴ計測を行うための新たな技術を提供することにある。
【課題を解決するための手段】
【００１１】
いくつかの実施形態の第１態様は、波長掃引速度を変更可能な波長掃引光源からの光を測定光と参照光とに分割し、前記測定光を被検眼に照射し、前記被検眼からの戻り光と前記参照光との干渉光を検出する干渉光学系と、所定のサンプリング周波数で前記干渉光の検出結果をサンプリングするサンプリング部と、前記干渉光学系を制御することにより第１波長掃引速度で掃引される前記波長掃引光源からの光を用いてＯＣＴ計測を実行させる第１計測制御と、前記第１計測制御の後に前記波長掃引光源を制御することにより前記波長掃引速度を第２波長掃引速度に変更する波長掃引速度制御と、前記波長掃引速度制御の後に前記干渉光学系を制御することにより前記第２波長掃引速度で掃引される前記波長掃引光源からの光を用いてＯＣＴ計測を実行させる第２計測制御とを行う制御部と、を含む眼科装置である。
【００１２】
いくつかの実施形態の第２態様は、第１態様において、前記サンプリング部によりサンプリングされた前記検出結果に対して所定の解析処理を行う解析部を含み、前記制御部は、前記第２計測制御の後に、前記第１計測制御により得られた前記検出結果及び前記第２計測制御により得られた前記検出結果の少なくとも１つに対して前記所定の解析処理を前記解析部に実行させる。
【００１３】
いくつかの実施形態の第３態様は、第１態様又は第２態様において、前記サンプリング部によりサンプリングされた前記検出結果に基づいて前記被検眼の画像を形成する画像形成部を含み、前記制御部は、前記第２計測制御の後に、前記第１計測制御により得られた前記検出結果及び前記第２計測制御により得られた前記検出結果の少なくとも１つに基づいて前記画像を前記画像形成部に形成させる。
【００１４】
いくつかの実施形態の第４態様は、第１態様〜第３態様のいずれかにおいて、前記被検眼と前記干渉光学系とを相対的に移動する移動機構を含み、前記制御部は、前記第１計測制御の前に、前記移動機構を制御することにより前記被検眼に対する前記干渉光学系の位置を調整する予備制御を行う。
【００１５】
いくつかの実施形態の第５態様では、第４態様において、前記干渉光学系は、前記測定光の光路に沿って移動可能な合焦レンズを含み、前記予備制御は、前記合焦レンズを移動することにより前記測定光の焦点位置を調整するフォーカス制御を含む。
【００１６】
いくつかの実施形態の第６態様では、第４態様又は第５態様において、前記干渉光学系は、前記測定光の偏波状態を変更する偏波コントローラを含み、前記予備制御は、前記偏波コントローラを制御することにより前記測定光の偏波状態を調整する偏波調整制御を含む。
【００１７】
いくつかの実施形態第７態様では、第１態様〜第６態様のいずれかにおいて、前記干渉光学系は、前記測定光の光路と前記参照光の光路との光路長差を変更する光路長差変更部を含み、前記制御部は、前記第１計測制御の前に前記光路長差変更部を制御することにより前記被検眼における所定の位置が深さ範囲の基準位置になるように前記光路長差を調整する光路長差調整制御を行う。
【００１８】
いくつかの実施形態の第８態様では、第７態様において、前記所定の位置は、強膜に対して第１距離だけ後方の位置である。
【００１９】
いくつかの実施形態の第９態様では、第７態様において、前記所定の位置は、角膜に対して第２距離だけ前方の位置である。
【００２０】
いくつかの実施形態の第１０態様では、第１態様〜第９態様のいずれかにおいて、前記第１波長掃引速度及び前記第２波長掃引速度の一方は、角膜から強膜までの範囲を含む第１深さ範囲に対応した波長掃引速度であり、前記第１波長掃引速度及び前記第２波長掃引速度の他方は、前記第１深さ範囲より狭い第２深さ範囲に対応した波長掃引速度である。
【００２１】
いくつかの実施形態の第１１態様は、波長掃引速度を変更可能な波長掃引光源からの光を測定光と参照光とに分割し、前記測定光を被検眼に照射し、前記被検眼からの戻り光と前記参照光との干渉光を検出する干渉光学系と、所定のサンプリング周波数で前記干渉光の検出結果をサンプリングするサンプリング部と、少なくとも前記干渉光学系を制御する制御部と、を含む眼科装置の制御方法であって、前記制御部が前記干渉光学系を制御することにより第１波長掃引速度で掃引される前記波長掃引光源からの光を用いてＯＣＴ計測を実行させる第１計測制御ステップと、前記第１計測制御ステップの後に、前記制御部が前記波長掃引光源を制御することにより前記波長掃引速度を第２波長掃引速度に変更する波長掃引速度制御ステップと、前記波長掃引速度制御ステップの後に、前記制御部が前記干渉光学系を制御することにより前記第２波長掃引速度で掃引される前記波長掃引光源からの光を用いてＯＣＴ計測を実行させる第２計測制御ステップと、を含む眼科装置の制御方法である。
【００２２】
いくつかの実施形態の第１２態様では、第１１態様において、前記眼科装置は、前記サンプリング部によりサンプリングされた前記検出結果に対して所定の解析処理を行う解析部を含み、前記第２計測制御ステップの後に、前記制御部が前記第１計測制御ステップ及び前記第２計測制御ステップの少なくとも一方において得られた前記検出結果に対して前記所定の解析処理を前記解析部に実行させる解析ステップを含む。
【００２３】
いくつかの実施形態の第１３態様では、第１１態様又は第１２態様において、前記眼科装置は、前記サンプリング部によりサンプリングされた前記検出結果に基づいて前記被検眼の画像を形成する画像形成部を含み、前記第２計測制御ステップの後に、前記制御部が前記第１計測制御ステップ及び前記第２計測制御ステップの少なくとも一方において得られた前記検出結果に基づいて前記画像を前記画像形成部に形成させる画像形成ステップを含む。
【００２４】
いくつかの実施形態の第１４態様では、第１１態様〜第１３態様のいずれかにおいて、前記眼科装置は、前記被検眼と前記干渉光学系とを相対的に移動する移動機構を含み、前記第１計測制御ステップの前に、前記制御部が前記移動機構を制御することにより前記被検眼に対する前記干渉光学系の位置を調整する予備制御ステップを含む。
【００２５】
いくつかの実施形態の第１５態様では、第１４態様において、前記干渉光学系は、前記測定光の光路に沿って移動可能な合焦レンズを含み、前記予備制御ステップは、前記合焦レンズを移動することにより前記測定光の焦点位置を調整するフォーカス制御ステップを含む。
【００２６】
いくつかの実施形態の第１６態様では、第１４態様又は第１５態様において、前記干渉光学系は、前記測定光の偏波状態を変更する偏波コントローラを含み、前記予備制御ステップは、前記偏波コントローラを制御することにより前記測定光の偏波状態を調整する偏波調整制御ステップを含む。
【００２７】
いくつかの実施形態の第１７態様では、第１１態様〜第１６態様のいずれかにおいて、前記干渉光学系は、前記測定光の光路と前記参照光の光路との光路長差を変更する光路長差変更部を含み、前記第１計測制御ステップの前に前記光路長差変更部を制御することにより前記被検眼における所定の位置が深さ範囲の基準位置になるように前記光路長差を調整する光路長差調整制御ステップを含む。
【００２８】
いくつかの実施形態の第１８態様では、第１７態様において、前記所定の位置は、強膜に対して第１距離だけ後方の位置である。
【００２９】
いくつかの実施形態の第１９態様では、第１７態様において、前記所定の位置は、角膜に対して第２距離だけ前方の位置である。
【発明の効果】
【００３０】
本発明によれば、検者及び被検者への負担を軽減し、波長掃引速度を変更しながら複数の計測範囲のＯＣＴ計測を行うことができるようになる。
【図面の簡単な説明】
【００３１】
【図１】実施形態に係る眼科装置の構成の一例を表す概略図である。
【図２】実施形態に係る眼科装置の構成の一例を表す概略図である。
【図３】実施形態に係る眼科装置の構成の一例を表す概略図である。
【図４】実施形態に係る眼科装置の構成の一例を表す概略ブロック図である。
【図５】実施形態に係る眼科装置の構成の一例を表す概略ブロック図である。
【図６】実施形態に係る眼科装置の動作例を表すフローチャートである。
【図７】実施形態に係る眼科装置の動作例を表すフローチャートである。
【図８Ａ】実施形態に係る眼科装置が実行する処理を説明するための概略図である。
【図８Ｂ】実施形態に係る眼科装置が実行する処理を説明するための概略図である。
【図９】実施形態に係る眼科装置の動作例を表すフローチャートである。
【図１０】実施形態に係る眼科装置の動作例を表すフローチャートである。
【図１１】実施形態に係る眼科装置の動作例を表すフローチャートである。
【図１２】実施形態に係る眼科装置の動作例を表すフローチャートである。
【図１３】実施形態に係る眼科装置の動作例を表すフローチャートである。
【図１４】実施形態に係る眼科装置の動作例を表すフローチャートである。
【発明を実施するための形態】
【００３２】
この発明に係る眼科装置、及び眼科装置の制御方法の実施形態の例について、図面を参照しながら詳細に説明する。なお、この明細書において引用された文献の記載内容や任意の公知技術を、以下の実施形態に援用することが可能である。
【００３３】
実施形態に係る眼科装置は、波長掃引速度を変更可能な波長掃引光源からの光を用いて生成された測定光に基づくＯＣＴによって被検眼の断層像、正面画像、及び３次元画像を形成することが可能である。この明細書では、ＯＣＴによって取得される画像をＯＣＴ画像と総称することがある。また、ＯＣＴ画像を形成するための計測動作をＯＣＴ計測と呼ぶことがある。
【００３４】
いくつかの実施形態に係る眼科装置は、眼科撮影装置と、眼科測定装置と、眼科治療装置とのうちのいずれか１つ以上を含む。いくつかの実施形態の眼科装置に含まれる眼科撮影装置は、例えば、眼底カメラ、走査型レーザ検眼鏡、スリットランプ検眼鏡、手術用顕微鏡等のうちのいずれか１つ以上である。また、いくつかの実施形態の眼科装置に含まれる眼科測定装置は、例えば、眼屈折検査装置、眼圧計、スペキュラーマイクロスコープ、ウェーブフロントアナライザ、視野計、マイクロペリメータ等のうちのいずれか１つ以上である。また、いくつかの実施形態の眼科装置に含まれる眼科治療装置は、例えば、レーザ治療装置、手術装置、手術用顕微鏡等のうちのいずれか１つ以上である。
【００３５】
以下の実施形態に係る眼科装置は、ＯＣＴ計測が可能なＯＣＴ装置と眼底カメラとを含む。また、以下の実施形態に係る構成を、単体のＯＣＴ装置に組み込むことも可能である。
【００３６】
以下においては、装置内の光学系を制御することで、眼底に対するＯＣＴ計測と、前眼部に対するＯＣＴ計測と、眼底及び前眼部を含む全眼球に対するＯＣＴ計測とが可能な眼科装置を例に説明する。いくつかの実施形態では、測定光の焦点位置を変更するレンズを移動することで、ＯＣＴ計測の範囲や計測部位を変更する。しかしながら、実施形態に係る眼科装置は、１以上のアタッチメント（対物レンズ、前置レンズ等）を加えることで、眼底に対するＯＣＴ計測と、前眼部に対するＯＣＴ計測と、眼底及び前眼部を含む全眼球に対するＯＣＴ計測とが可能な構成であってもよい。いくつかの実施形態では、眼底計測用の眼科装置において、対物レンズと被検眼との間に前置レンズを配置することで平行光束にされた測定光を被検眼に入射させることで前眼部に対するＯＣＴ計測を行う。
【００３７】
＜構成＞
〔光学系〕
図１に示すように、眼科装置１は、眼底カメラユニット２、ＯＣＴユニット１００及び演算制御ユニット２００を含む。眼底カメラユニット２には、被検眼Ｅの正面画像を取得するための光学系や機構が設けられている。ＯＣＴユニット１００には、ＯＣＴを実行するための光学系や機構の一部が設けられている。ＯＣＴを実行するための光学系や機構の他の一部は、眼底カメラユニット２に設けられている。演算制御ユニット２００は、各種の演算や制御を実行する１以上のプロセッサを含む。これらに加え、被検者の顔を支持するための部材（顎受け、額当て等）や、ＯＣＴの対象部位を切り替えるためのレンズユニット（例えば、前眼部ＯＣＴ用アタッチメント）等の任意の要素やユニットが眼科装置１に設けられてもよい。いくつかの実施形態では、レンズユニットが手動で被検眼Ｅと後述の対物レンズ２２との間に挿脱されるように構成される。いくつかの実施形態では、後述の制御部２１０からの制御を受け、レンズユニットが被検眼Ｅと後述の対物レンズ２２との間に自動で挿脱されるように構成される。
【００３８】
本明細書において「プロセッサ」は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブル論理デバイス（例えば、ＳＰＬＤ（Ｓｉｍｐｌｅ  Ｐｒｏｇｒａｍｍａｂｌｅ  Ｌｏｇｉｃ  Ｄｅｖｉｃｅ）、ＣＰＬＤ（Ｃｏｍｐｌｅｘ  Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ））等の回路を意味する。プロセッサは、例えば、記憶回路や記憶装置に格納されているプログラムを読み出し実行することで、実施形態に係る機能を実現する。
【００３９】
［眼底カメラユニット］
眼底カメラユニット２には、被検眼Ｅの眼底Ｅｆを撮影するための光学系が設けられている。取得される眼底Ｅｆの画像（眼底像、眼底写真等と呼ばれる）は、観察画像、撮影画像等の正面画像である。観察画像は、近赤外光を用いた動画撮影により得られる。撮影画像は、フラッシュ光を用いた静止画像である。更に、眼底カメラユニット２は、被検眼Ｅの前眼部Ｅａを撮影して正面画像（前眼部像）を取得することができる。
【００４０】
眼底カメラユニット２は、照明光学系１０と撮影光学系３０とを含む。照明光学系１０は被検眼Ｅに照明光を照射する。撮影光学系３０は、被検眼Ｅからの照明光の戻り光を検出する。ＯＣＴユニット１００からの測定光は、眼底カメラユニット２内の光路を通じて被検眼Ｅに導かれ、その戻り光は、同じ光路を通じてＯＣＴユニット１００に導かれる。
【００４１】
照明光学系１０の観察光源１１から出力された光（観察照明光）は、曲面状の反射面を有する反射ミラー１２により反射され、集光レンズ１３を経由し、可視カットフィルタ１４を透過して近赤外光となる。更に、観察照明光は、撮影光源１５の近傍にて一旦集束し、ミラー１６により反射され、リレーレンズ１７、１８、絞り１９及びリレーレンズ２０を経由する。そして、観察照明光は、孔開きミラー２１の周辺部（孔部の周囲の領域）にて反射され、ダイクロイックミラー４６を透過し、対物レンズ２２により屈折されて被検眼Ｅ（眼底Ｅｆ又は前眼部Ｅａ）を照明する。被検眼Ｅからの観察照明光の戻り光は、対物レンズ２２により屈折され、ダイクロイックミラー４６を透過し、孔開きミラー２１の中心領域に形成された孔部を通過し、ダイクロイックミラー５５を透過する。ダイクロイックミラー５５を透過した戻り光は、撮影合焦レンズ３１を経由し、ミラー３２により反射される。更に、この戻り光は、ハーフミラー３３Ａを透過し、ダイクロイックミラー３３により反射され、集光レンズ３４によりイメージセンサ３５の受光面に結像される。イメージセンサ３５は、所定のフレームレートで戻り光を検出する。なお、撮影光学系３０のフォーカスは、眼底Ｅｆ又は前眼部Ｅａに合致するように調整される。
【００４２】
撮影光源１５から出力された光（撮影照明光）は、観察照明光と同様の経路を通って眼底Ｅｆに照射される。被検眼Ｅからの撮影照明光の戻り光は、観察照明光の戻り光と同じ経路を通ってダイクロイックミラー３３まで導かれ、ダイクロイックミラー３３を透過し、ミラー３６により反射され、集光レンズ３７によりイメージセンサ３８の受光面に結像される。
【００４３】
ＬＣＤ（Ｌｉｑｕｉｄ  Ｃｒｙｓｔａｌ  Ｄｉｓｐｌａｙ）３９は固視標や視力測定用視標を表示する。ＬＣＤ３９から出力された光束は、その一部がハーフミラー３３Ａにて反射され、ミラー３２に反射され、撮影合焦レンズ３１及びダイクロイックミラー５５を経由し、孔開きミラー２１の孔部を通過する。孔開きミラー２１の孔部を通過した光束は、ダイクロイックミラー４６を透過し、対物レンズ２２により屈折されて眼底Ｅｆに投射される。
【００４４】
ＬＣＤ３９の画面上における固視標の表示位置を変更することにより、被検眼Ｅの固視位置を変更できる。固視位置の例として、黄斑を中心とする画像を取得するための固視位置や、視神経乳頭を中心とする画像を取得するための固視位置や、黄斑と視神経乳頭との間の眼底中心を中心とする画像を取得するための固視位置や、黄斑から大きく離れた部位（眼底周辺部）の画像を取得するための固視位置などがある。いくつかの実施形態に係る眼科装置１は、このような固視位置の少なくとも１つを指定するためのＧＵＩ（Ｇｒａｐｈｉｃａｌ  Ｕｓｅｒ  Ｉｎｔｅｒｆａｃｅ）等を含む。いくつかの実施形態に係る眼科装置１は、固視位置（固視標の表示位置）をマニュアルで移動するためのＧＵＩ等を含む。
【００４５】
移動可能な固視標を被検眼Ｅに提示するための構成はＬＣＤ等の表示装置には限定されない。例えば、光源アレイ（発光ダイオード（ＬＥＤ）アレイ等）における複数の光源を選択的に点灯させることにより、移動可能な固視標を生成することができる。また、移動可能な１以上の光源により、移動可能な固視標を生成することができる。
【００４６】
また、眼科装置１には、１以上の外部固視光源が設けられてもよい。１以上の外部固視光源の１つは、被検眼Ｅの僚眼に固視光を投射することが可能である。僚眼における固視光の投射位置は、変更可能である。僚眼に対する固視光の投射位置を変更することにより、被検眼Ｅの固視位置を変更することができる。外部固視光源による固視位置は、ＬＣＤ３９を用いた被検眼Ｅの固視位置と同様であってよい。例えば、複数の外部固視光源を選択的に点灯させることにより、移動可能な固視標を生成することができる。また、移動可能な１以上の外部固視光源により、移動可能な固視標を生成することができる。
【００４７】
アライメント光学系５０は、被検眼Ｅに対する光学系のアライメントに用いられるアライメント指標を生成する。ＬＥＤ５１から出力されたアライメント光は、絞り５２及び５３並びにリレーレンズ５４を経由し、ダイクロイックミラー５５により反射され、孔開きミラー２１の孔部を通過する。孔開きミラー２１の孔部を通過した光は、ダイクロイックミラー４６を透過し、対物レンズ２２により被検眼Ｅに投射される。アライメント光の角膜反射光は、観察照明光の戻り光と同じ経路を通ってイメージセンサ３５に導かれる。その受光像（アライメント指標像）に基づいてマニュアルアライメントやオートアライメントを実行できる。
【００４８】
フォーカス光学系６０は、被検眼Ｅに対するフォーカス調整に用いられるスプリット指標を生成する。フォーカス光学系６０は、撮影光学系３０の光路（撮影光路）に沿った撮影合焦レンズ３１の移動に連動して、照明光学系１０の光路（照明光路）に沿って移動される。反射棒６７は、照明光路に対して挿脱可能である。フォーカス調整を行う際には、反射棒６７の反射面が照明光路に傾斜配置される。ＬＥＤ６１から出力されたフォーカス光は、リレーレンズ６２を通過し、スプリット指標板６３により２つの光束に分離され、二孔絞り６４を通過し、ミラー６５により反射され、集光レンズ６６により反射棒６７の反射面に一旦結像されて反射される。更に、フォーカス光は、リレーレンズ２０を経由し、孔開きミラー２１に反射され、ダイクロイックミラー４６を透過し、対物レンズ２２により屈折されて眼底Ｅｆに投射される。フォーカス光の眼底反射光は、アライメント光の角膜反射光と同じ経路を通ってイメージセンサ３５に導かれる。その受光像（スプリット指標像）に基づいてマニュアルフォーカスやオートフォーカスを実行できる。
【００４９】
ダイクロイックミラー４６は、眼底撮影用光路とＯＣＴ用光路とを合成する。ダイクロイックミラー４６は、ＯＣＴに用いられる波長帯の光を反射し、眼底撮影用の光を透過させる。ＯＣＴ用光路（測定光の光路）には、ＯＣＴユニット１００側からダイクロイックミラー４６側に向かって順に、コリメータレンズユニット４０、光路長変更部４１、光スキャナ４２、ＯＣＴ合焦レンズ４３、ミラー４４、及びリレーレンズ４５が設けられている。
【００５０】
光路長変更部４１は、図１に示す矢印の方向に移動可能とされ、ＯＣＴ用光路の長さを変更する。この光路長の変更は、眼軸長に応じた光路長補正や、干渉状態の調整などに利用される。光路長変更部４１は、コーナーキューブと、これを移動する機構とを含む。
【００５１】
光スキャナ４２は、被検眼Ｅの瞳孔と光学的に共役な位置に配置される。光スキャナ４２は、ＯＣＴ用光路を通過する測定光ＬＳを偏向する。光スキャナ４２は、例えば、２次元走査が可能なガルバノスキャナである。
【００５２】
ＯＣＴ合焦レンズ４３は、ＯＣＴ用の光学系のフォーカス調整を行うために、測定光ＬＳの光路に沿って移動される。ＯＣＴ合焦レンズ４３は、被検眼Ｅの眼底Ｅｆ又はその近傍に測定光ＬＳの焦点位置を配置するための第１レンズ位置と、被検眼Ｅに照射される測定光ＬＳを平行光束にするための第２レンズ位置とを含む移動範囲で移動可能である。撮影合焦レンズ３１の移動、フォーカス光学系６０の移動、及びＯＣＴ合焦レンズ４３の移動を連係的に制御することができる。
【００５３】
［ＯＣＴユニット］
図２及び図３に例示するように、ＯＣＴユニット１００には、スウェプトソースＯＣＴを実行するための光学系が設けられている。この光学系は、干渉光学系を含む。この干渉光学系は、波長掃引光源（波長可変光源）からの光を測定光と参照光とに分割する機能と、被検眼Ｅからの測定光の戻り光と参照光路を経由した参照光とを重ね合わせて干渉光を生成する機能と、この干渉光を検出する機能とを備える。干渉光学系により得られた干渉光の検出結果（検出信号）は、干渉光のスペクトルを示す信号であり、演算制御ユニット２００に送られる。
【００５４】
図３に例示するように、光源ユニット１０１は、変更可能な波長掃引速度で所定の波長範囲を掃引することにより得られた波長掃引光である光Ｌ０と、波長掃引光から生成されたクロックＫＣを出力する。このような光源ユニット１０１は、光源１４０と、光分岐器１４１、１４２と、複数のマッハ・ツェンダー干渉計（Ｍａｃｈ−Ｚｅｈｎｄｅｒ  Ｉｎｔｅｒｆｅｒｏｍｅｔｅｒ：ＭＺＩ）１４３と、光選択出力器１４４とを含む。光源ユニット１０１内の光学素子は、互いに光ファイバを介して光学的に接続される。
【００５５】
光源１４０は、変更可能な波長掃引速度で所定の波長範囲を掃引することにより出射光の中心波長が高速に変化する波長掃引光を出力する波長掃引光源である。光源１４０は、例えば、近赤外波長可変レーザを含む。
【００５６】
光分岐器１４１は、光源１４０から出射された波長掃引光を光Ｌ０と、クロック生成用の光とに分岐する。光分岐器１４１により分岐された光Ｌ０は、後述のように、光ファイバ１０２により偏波コントローラ１０３に導かれる。光分岐器１４１により分岐されたクロック生成用の光は、光ファイバにより光分岐器１４２に導かれる。光分岐器１４２は、クロック生成用の光を複数の分岐光（例えば、計測モード数分の分岐光）に分岐する。光分岐器１４２により分岐された複数の分岐光は、それぞれ光ファイバにより複数のＭＺＩ１４３のいずれかに導かれる。
【００５７】
ＭＺＩ１４３は、光分岐器１４２により分岐された分岐光を更に２つに分岐させ、互いに異なる光路を経由した２つの光路を合成することにより、互いにの光路の光路長差に対応した合成光を出力する。複数のＭＺＩ１４３は、それぞれ計測範囲に応じて変更される波長掃引速度に対応して光路長差が互いに異なるように構成されている。光選択出力器１４４は、計測範囲に応じて変更される波長掃引速度に基づいて、複数のＭＺＩ１４３からの合成光を選択的にクロックＫＣとして出力する。
【００５８】
いくつかの実施形態では、複数のＭＺＩ１４３は、計測範囲が異なる撮影モード（計測モード）数分だけ設けられる。この実施形態では、撮影モードは、主として眼底のＯＣＴ撮影を行うためのモード（全眼球ＯＣＴ撮影、眼底ＯＣＴ撮影、及びＯＣＴＡ撮影）と、主として前眼部のＯＣＴ撮影を行うためのモード（全眼球ＯＣＴ撮影、及び前眼部ＯＣＴ撮影）とを含む。
【００５９】
計測範囲が互いに異なる撮影モードに応じて複数のＭＺＩ１４３において互いに光路長差が異なるように構成し、光選択出力器１４４により波長掃引速度に応じて選択的に合成光を出力するように構成することで、波長掃引速度の変化分がキャンセルされた合成光を出力することができる。それにより、光選択出力器１４４から出力されるクロックＫＣは、一定の周波数（周期）のクロックとして出力される。なお、クロックＫＣを一定の周波数を有するクロックとして出力できる限り、ＭＺＩ１４３の数は任意である。
【００６０】
図２に示すように、光源ユニット１０１から出力された光Ｌ０は、光ファイバ１０２により偏波コントローラ１０３に導かれてその偏光状態が調整される。偏光状態が調整された光Ｌ０は、光ファイバ１０４によりファイバカプラ１０５に導かれて測定光ＬＳと参照光ＬＲとに分割される。
【００６１】
参照光ＬＲは、光ファイバ１１０によりコリメータ１１１に導かれて平行光束に変換され、光路長補正部材１１２及び分散補償部材１１３を経由し、コーナーキューブ１１４に導かれる。光路長補正部材１１２は、参照光ＬＲの光路長と測定光ＬＳの光路長とを合わせるよう作用する。分散補償部材１１３は、参照光ＬＲと測定光ＬＳとの間の分散特性を合わせるよう作用する。コーナーキューブ１１４は、参照光ＬＲの入射方向に移動可能であり、それにより参照光ＬＲの光路長が変更される。
【００６２】
コーナーキューブ１１４を経由した参照光ＬＲは、分散補償部材１１３及び光路長補正部材１１２を経由し、コリメータ１１６によって平行光束から集束光束に変換され、光ファイバ１１７に入射する。光ファイバ１１７に入射した参照光ＬＲは、偏波コントローラ１１８に導かれてその偏光状態が調整され、光ファイバ１１９によりアッテネータ１２０に導かれて光量が調整され、光ファイバ１２１によりファイバカプラ１２２に導かれる。
【００６３】
一方、ファイバカプラ１０５により生成された測定光ＬＳは、光ファイバ１２７により導かれてコリメータレンズユニット４０により平行光束に変換され、光路長変更部４１、光スキャナ４２、ＯＣＴ合焦レンズ４３、ミラー４４及びリレーレンズ４５を経由する。リレーレンズ４５を経由した測定光ＬＳは、ダイクロイックミラー４６により反射され、対物レンズ２２により屈折されて被検眼Ｅに入射する。測定光ＬＳは、被検眼Ｅの様々な深さ位置において散乱・反射される。被検眼Ｅからの測定光ＬＳの戻り光は、往路と同じ経路を逆向きに進行してファイバカプラ１０５に導かれ、光ファイバ１２８を経由してファイバカプラ１２２に到達する。
【００６４】
ファイバカプラ１２２は、光ファイバ１２８を介して入射された測定光ＬＳと、光ファイバ１２１を介して入射された参照光ＬＲとを合成して（干渉させて）干渉光を生成する。ファイバカプラ１２２は、所定の分岐比（例えば１：１）で干渉光を分岐することにより、一対の干渉光ＬＣを生成する。一対の干渉光ＬＣは、それぞれ光ファイバ１２３及び１２４を通じて検出器１２５に導かれる。
【００６５】
検出器１２５は、例えばバランスドフォトダイオードである。バランスドフォトダイオードは、一対の干渉光ＬＣをそれぞれ検出する一対のフォトディテクタを含み、これらフォトディテクタにより得られた一対の検出結果の差分を出力する。検出器１２５は、この出力（検出信号）をＤＡＱ（Ｄａｔａ  Ａｃｑｕｉｓｉｔｉｏｎ  Ｓｙｓｔｅｍ）１３０に送る。
【００６６】
ＤＡＱ１３０には、光源ユニット１０１からクロックＫＣが供給される。クロックＫＣは、上記のように、光源ユニット１０１において、波長掃引速度が変更された場合でも略一定の周波数を有するクロックである。ＤＡＱ１３０は、検出器１２５から入力される検出信号に対し、クロックＫＣに同期してＡ／Ｄ変換を行い、Ａ／Ｄ変換結果を干渉信号としてサンプリングする。ＤＡＱ１３０は、サンプリングにより得られた干渉信号を演算制御ユニット２００に送る。
【００６７】
本例では、測定光ＬＳの光路（測定光路、測定アーム）の長さを変更するための光路長変更部４１と、参照光ＬＲの光路（参照光路、参照アーム）の長さを変更するためのコーナーキューブ１１４の双方が設けられている。しかしながら、光路長変更部４１とコーナーキューブ１１４のいずれか一方のみが設けられもよい。また、これら以外の光学部材を用いて、測定光路長と参照光路長との差を変更することも可能である。
【００６８】
［演算制御ユニット］
演算制御ユニット２００は、ＤＡＱ１３０から入力される検出信号を解析して眼底ＥｆのＯＣＴ画像を形成する。そのための演算処理は、従来のスウェプトソースタイプのＯＣＴ装置と同様である。
【００６９】
また、演算制御ユニット２００は、眼底カメラユニット２、表示装置３、及びＯＣＴユニット１００の各部を制御する。
【００７０】
眼底カメラユニット２の制御として、演算制御ユニット２００は、観察光源１１、撮影光源１５、及びＬＥＤ５１、６１の動作制御、ＬＣＤ３９の動作制御、撮影合焦レンズ３１の移動制御、ＯＣＴ合焦レンズ４３の移動制御、反射棒６７の移動制御、フォーカス光学系６０の移動制御、光路長変更部４１の移動制御、光スキャナ４２の動作制御などを行う。
【００７１】
ＯＣＴユニット１００の制御として、演算制御ユニット２００は、光源ユニット１０１の動作制御、偏波コントローラ１０３、１１８の動作制御、アッテネータ１２０の動作制御、検出器１２５の動作制御、ＤＡＱ１３０の動作制御などを行う。
【００７２】
演算制御ユニット２００は、例えば、従来のコンピュータと同様に、マイクロプロセッサ、ＲＡＭ、ＲＯＭ、ハードディスクドライブ、通信インターフェイスなどを含んで構成される。ハードディスクドライブ等の記憶装置には、眼科装置１を制御するためのコンピュータプログラムが記憶されている。演算制御ユニット２００は、各種の回路基板、例えばＯＣＴ画像を形成するための回路基板を備えていてもよい。また、演算制御ユニット２００は、キーボードやマウス等の操作デバイス（入力デバイス）や、ＬＣＤ等の表示デバイスを備えていてもよい。
【００７３】
眼底カメラユニット２、表示装置３、ＯＣＴユニット１００、及び演算制御ユニット２００は、一体的に（つまり単一の筺体内に）構成されていてもよいし、２つ以上の筐体に別れて構成されていてもよい。
【００７４】
〔制御系〕
図４及び図５に、眼科装置１の制御系の構成例を示す。図４及び図５において、眼科装置１に含まれる構成要素の一部が省略されている。図５は、図４のデータ処理部２３０の構成例のブロック図を表す。制御部２１０、画像形成部２２０及びデータ処理部２３０は、例えば、演算制御ユニット２００に設けられる。
【００７５】
（制御部）
制御部２１０は、各種の制御を実行する。制御部２１０は、主制御部２１１と記憶部２１２とを含む。
【００７６】
（主制御部）
主制御部２１１は、プロセッサを含み、眼科装置１の各部を制御する。例えば、主制御部２１１は、眼底カメラユニット２の光路長変更部４１、光スキャナ４２、撮影合焦レンズ３１（合焦駆動部３１Ａ）、及びフォーカス光学系６０、ＯＣＴ合焦レンズ４３（合焦駆動部４３Ａ）、イメージセンサ３５、３８、ＬＣＤ３９、光学系全体（移動機構１５０）などを制御する。さらに、主制御部２１１は、ＯＣＴユニット１００の光源ユニット１０１、コーナーキューブ１１４（参照駆動部１１４Ａ）、アッテネータ１２０、偏波コントローラ１０３、１１８、検出器１２５、ＤＡＱ１３０などを制御する。
【００７７】
例えば、主制御部２１１は、手動又は自動で設定された固視位置に対応するＬＣＤ３９の画面上の位置に固視標を表示する。また、主制御部２１１は、ＬＣＤ３９に表示されている固視標の表示位置を（連続的に又は段階的に）変更することができる。それにより、固視標を移動することができる（つまり、固視位置を変更することができる）。固視標の表示位置や移動態様は、マニュアルで又は自動的に設定される。マニュアルでの設定は、例えばＧＵＩを用いて行われる。自動的な設定は、例えば、データ処理部２３０により行われる。
【００７８】
合焦駆動部３１Ａは、撮影光学系３０の光軸方向に撮影合焦レンズ３１を移動させるとともに、照明光学系１０の光軸方向にフォーカス光学系６０を移動させる。それにより、撮影光学系３０の合焦位置が変更される。合焦駆動部３１Ａは、撮影合焦レンズ３１を移動させる機構と、フォーカス光学系６０を移動させる機構とを個別に有していてよい。合焦駆動部３１Ａは、フォーカス調整を行うときなどに制御される。
【００７９】
合焦駆動部４３Ａは、測定光路の光軸方向にＯＣＴ合焦レンズ４３を移動させる。それにより、測定光ＬＳの合焦位置が変更される。例えば、ＯＣＴ合焦レンズ４３を第１レンズ位置に移動させることにより、測定光ＬＳの合焦位置を眼底Ｅｆ又はその近傍に配置することができる。例えば、ＯＣＴ合焦レンズ４３を第２レンズ位置に移動させることにより、測定光ＬＳの合焦位置を遠点位置に配置して測定光ＬＳを平行光束にすることができる。測定光ＬＳの合焦位置は、測定光ＬＳのビームウェストの深さ位置（ｚ位置）に相当する。
【００８０】
移動機構１５０は、例えば、少なくとも眼底カメラユニット２（光学系）を３次元的に移動する。典型的な例において、移動機構１５０は、少なくとも眼底カメラユニット２をｘ方向（左右方向）に移動するための機構と、ｙ方向（上下方向）に移動するための機構と、ｚ方向（奥行き方向、前後方向）に移動するための機構とを含む。ｘ方向に移動するための機構は、例えば、ｘ方向に移動可能なｘステージと、ｘステージを移動するｘ移動機構とを含む。ｙ方向に移動するための機構は、例えば、例えば、ｙ方向に移動可能なｙステージと、ｙステージを移動するｙ移動機構とを含む。ｚ方向に移動するための機構は、例えば、ｚ方向に移動可能なｚステージと、ｚステージを移動するｚ移動機構とを含む。各移動機構は、パルスモータ等のアクチュエータを含み、主制御部２１１からの制御を受けて動作する。
【００８１】
移動機構１５０に対する制御は、アライメントやトラッキングにおいて用いられる。トラッキングとは、被検眼Ｅの眼球運動に合わせて装置光学系を移動させるものである。トラッキングを行う場合には、事前にアライメントとフォーカス調整が実行される。トラッキングは、装置光学系の位置を眼球運動に追従させることにより、アライメントとピントが合った好適な位置関係を維持する機能である。いくつかの実施形態では、参照光の光路長（よって、測定光の光路と参照光の光路との間の光路長差）を変更するために移動機構１５０の制御を行うように構成される。
【００８２】
マニュアルアライメントの場合、光学系に対する被検眼Ｅの変位がキャンセルされるようにユーザが後述のユーザインターフェイス２４０に対して操作することにより光学系と被検眼Ｅとを相対移動させる。例えば、主制御部２１１は、ユーザインターフェイス２４０に対する操作内容に対応した制御信号を移動機構１５０に出力することにより移動機構１５０を制御して光学系と被検眼Ｅとを相対移動させる。
【００８３】
オートアライメントの場合、光学系に対する被検眼Ｅの変位がキャンセルされるように主制御部２１１が移動機構１５０を制御することにより光学系と被検眼Ｅとを相対移動させる。いくつかの実施形態では、主制御部２１１は、光学系の光軸が被検眼Ｅの軸に略一致し、かつ、被検眼Ｅに対する光学系の距離が所定の作動距離になるように制御信号を移動機構１５０に出力することにより移動機構１５０を制御して光学系と被検眼Ｅとを相対移動させる。ここで、作動距離とは、対物レンズ２２のワーキングディスタンスとも呼ばれる既定値であり、光学系を用いた測定時（撮影時）における被検眼Ｅと光学系との間の距離に相当する。
【００８４】
主制御部２１１は、光源ユニット１０１における光源１４０に対して、波長掃引速度の変更制御を行う。計測範囲に相当するΔｚｍａｘを大きくするためには、式（１）に示すように、（ａ）Ａ／Ｄ変換のサンプリング速度に相当するｆｓを大きくする方法、（ｂ）波長掃引幅に相当するΔλを小さくする方法、又は（ｃ）波長掃引速度であるｆｓｗｅｅｐを小さくする方法がある。
【００８５】
（ａ）の方法では、Ａ／Ｄコンバータのサンプリング速度の向上には限界があるため、計測範囲の拡大にも限界がある。
【００８６】
（ｂ）の方法では、非特許文献２に記載された式（２）に示すように、Δλを小さくすることは深さ方向の分解能の低下を招く。式（２）において、Δｚは深さ方向の分解能を表し、ΔλＦＷＨＭは波長の半値全幅を表す。
【００８７】
【数２】
2020010889.tif 000004
【００８８】
（ｃ）の方法では、固視ずれの影響を受けやすくなり計測精度の劣化やＯＣＴＡ像の低画質化を招く。
【００８９】
これに対して、実施形態によれば、Ａ／Ｄコンバータのサンプリング速度にかかわらず波長掃引速度を変更することができる。それにより、式（２）に示す深さ方向の分解能を低下させることなく、式（１）に示す深さ方向の計測範囲を変更することが可能になる。
【００９０】
主制御部２１１は、眼底カメラユニット２等を制御することにより眼底撮影及び前眼部撮影を制御する。また、主制御部２１１は、眼底カメラユニット２及びＯＣＴユニット１００等を制御することによりＯＣＴ計測を制御する。主制御部２１１は、ＯＣＴ計測を行う前に複数の予備的な動作を実行可能である。予備的な動作としては、アライメント、フォーカス粗調整、偏光調整、フォーカス微調整などがある。複数の予備的な動作は、所定の順序で実行される。いくつかの実施形態では、複数の予備的な動作は、上記の順序で実行される。
【００９１】
なお、予備的な動作の種別や順序はこれに限定されるものではなく、任意である。例えば、被検眼Ｅが小瞳孔眼であるか否か判定するための予備動作（小瞳孔判定）を予備的な動作に加えることができる。小瞳孔判定は、例えば、フォーカス粗調整と光路長差調整との間に実行される。いくつかの実施形態では、小瞳孔判定は、以下の一連の処理を含む：被検眼Ｅの正面画像（前眼部像）の取得する処理；瞳孔に相当する画像領域を特定する処理；特定された瞳孔領域のサイズ（径、周長など）を求める処理；求められたサイズに基づき小瞳孔眼か否か判定する処理（閾値処理）；小瞳孔眼であると判定された場合に絞り１９を制御する処理。いくつかの実施形態では、瞳孔サイズを求めるために瞳孔領域を円近似または楕円近似する処理を更に含む。
【００９２】
フォーカス粗調整は、スプリット指標を用いたフォーカス調整である。なお、あらかじめ取得された眼屈折力と撮影合焦レンズ３１の位置とを関連付けた情報と、被検眼Ｅの屈折力の測定値とに基づいて撮影合焦レンズ３１の位置を決定することにより、フォーカス粗調整を行うこともできる。
【００９３】
フォーカス微調整は、ＯＣＴ計測の干渉感度に基づいて行われる。例えば、被検眼ＥのＯＣＴ計測により取得された干渉信号の干渉強度（干渉感度）をモニタすることにより、干渉強度が最大となるようなＯＣＴ合焦レンズ４３の位置を求め、その位置にＯＣＴ合焦レンズ４３を移動させることにより、フォーカス微調整を実行することができる。
【００９４】
光路長差調整においては、被検眼Ｅにおける所定の位置が深さ方向の計測範囲の基準位置になるように制御される。この制御は、光路長変更部４１及び参照駆動部１１４Ａの少なくとも一方に対して行われる。それにより、測定光路と参照光路との間の光路長差が調整される。深さ方向の計測範囲の基準位置としては、眼底スキャンを行う場合の被検眼Ｅの強膜に対して第１距離だけ後方（対物レンズ２２から遠くなる方向）の位置（強膜後方位置）、前眼部スキャンを行う場合の被検眼Ｅの角膜に対して第２距離だけ前方（対物レンズ２２に近くなる方向）の位置などがある。光路長差調整により基準位置を設定しておくことで、波長掃引速度の変更を行うだけで深さ方向の所望の計測範囲に対して精度よくＯＣＴ計測を行うことができるようになる。
【００９５】
偏光調整においては、測定光ＬＳと参照光ＬＲとの干渉効率を最適化するために参照光ＬＲの偏光状態が調整される。
【００９６】
（記憶部）
記憶部２１２は、各種のデータを記憶する。記憶部２１２に記憶されるデータとしては、例えば、ＯＣＴ画像の画像データ、眼底像の画像データ、被検眼情報などがある。被検眼情報は、患者ＩＤや氏名などの被検者に関する情報や、左眼／右眼の識別情報などの被検眼に関する情報を含む。また、記憶部２１２には、眼科装置１を動作させるための各種プログラムやデータが記憶されている。
【００９７】
（画像形成部）
画像形成部２２０は、検出器１２５からの検出信号をＤＡＱ１３０でサンプリングすることにより得られたサンプリングデータに基づいて、被検眼ＥのＯＣＴ画像を形成する。画像形成部２２０により形成されるＯＣＴ画像には、Ａスキャン画像、Ｂスキャン画像（断層像）、Ｃスキャン画像などがある。この処理には、従来のスウェプトソースタイプのＯＣＴと同様に、ノイズ除去（ノイズ低減）、フィルタ処理、分散補償、ＦＦＴ（Ｆａｓｔ  Ｆｏｕｒｉｅｒ  Ｔｒａｎｓｆｏｒｍ）などの処理が含まれている。他のタイプのＯＣＴ装置の場合、画像形成部２２０は、そのタイプに応じた公知の処理を実行する。
【００９８】
画像形成部２２０は、例えば、前述の回路基板を含んで構成される。なお、この明細書では、「画像データ」と、それに基づく「画像」とを同一視することがある。
【００９９】
（データ処理部）
データ処理部２３０は、被検眼Ｅの撮影やＯＣＴ計測により取得されたデータを処理する。例えば、データ処理部２３０は、画像形成部２２０により形成された画像に対して各種の画像処理や解析処理を施す。例えば、データ処理部２３０は、画像の輝度補正等の各種補正処理を実行する。また、データ処理部２３０は、眼底カメラユニット２により得られた画像（眼底像、前眼部像等）に対して各種の画像処理や解析処理を施す。
【０１００】
データ処理部２３０は、断層像の間の画素を補間する補間処理などの公知の画像処理を実行して、眼底Ｅｆの３次元画像の画像データを形成する。なお、３次元画像の画像データとは、３次元座標系により画素の位置が定義された画像データを意味する。３次元画像の画像データとしては、３次元的に配列されたボクセルからなる画像データがある。この画像データは、ボリュームデータ或いはボクセルデータなどと呼ばれる。ボリュームデータに基づく画像を表示させる場合、データ処理部２３０は、このボリュームデータに対してレンダリング処理（ボリュームレンダリングやＭＩＰ（Ｍａｘｉｍｕｍ  Ｉｎｔｅｎｓｉｔｙ  Ｐｒｏｊｅｃｔｉｏｎ：最大値投影）など）を施して、特定の視線方向から見たときの擬似的な３次元画像の画像データを形成する。表示部２４０Ａ等の表示デバイスには、この擬似的な３次元画像が表示される。
【０１０１】
また、３次元画像の画像データとして、複数の断層像のスタックデータを形成することも可能である。スタックデータは、複数のスキャンラインに沿って得られた複数の断層像を、スキャンラインの位置関係に基づいて３次元的に配列させることで得られる画像データである。すなわち、スタックデータは、元々個別の２次元座標系により定義されていた複数の断層像を、１つの３次元座標系により表現する（つまり１つの３次元空間に埋め込む）ことにより得られる画像データである。
【０１０２】
データ処理部２３０は、取得された３次元データセット（ボリュームデータ、スタックデータ等）に各種のレンダリングを施すことで、任意断面におけるＢモード画像（縦断面像、軸方向断面像）、任意断面におけるＣモード画像（横断面像、水平断面像）、プロジェクション画像、シャドウグラムなどを形成することができる。Ｂモード画像やＣモード画像のような任意断面の画像は、指定された断面上の画素（ピクセル、ボクセル）を３次元データセットから選択することにより形成される。プロジェクション画像は、３次元データセットを所定方向（Ｚ方向、深さ方向、軸方向）に投影することによって形成される。シャドウグラムは、３次元データセットの一部（たとえば特定層に相当する部分データ）を所定方向に投影することによって形成される。Ｃモード画像、プロジェクション画像、シャドウグラムのような、被検眼の正面側を視点とする画像を正面画像（ｅｎ−ｆａｃｅ画像）と呼ぶ。
【０１０３】
データ処理部２３０は、ＯＣＴにより時系列に収集されたデータ（例えば、Ｂスキャン画像データ）に基づいて、網膜血管や脈絡膜血管が強調されたＢモード画像や正面画像（血管強調画像、アンギオグラム）を構築することができる。例えば、被検眼Ｅの略同一部位を反復的にスキャンすることにより、時系列のＯＣＴデータを収集することができる。
【０１０４】
いくつかの実施形態では、データ処理部２３０は、略同一部位に対するＢスキャンにより得られた時系列のＢスキャン画像を比較し、信号強度の変化部分の画素値を変化分に対応した画素値に変換することにより当該変化部分が強調された強調画像を構築する。更に、データ処理部２３０は、構築された複数の強調画像から所望の部位における所定の厚さ分の情報を抽出してｅｎ−ｆａｃｅ画像として構築することでＯＣＴＡ像を形成する。
【０１０５】
図５に示すように、データ処理部２３０は、判定部２３１と、解析部２３２とを含む。
【０１０６】
判定部２３１は、ＯＣＴ計測により得られた干渉光の検出結果を解析してフォーカス微調整制御における測定光ＬＳのフォーカス状態を判定する。例えば、主制御部２１１は、合焦駆動部４３Ａを所定のアルゴリズムにしたがって制御しつつ、反復的なＯＣＴ計測を行う。判定部２３１は、ＯＣＴ計測により繰り返し取得される干渉光ＬＣの検出結果を解析することで、ＯＣＴ画像の画質に関する所定の評価値を算出する。判定部２３１は、算出された評価値が閾値以下であるか否か判定する。いくつかの実施形態では、フォーカス微調整は、算出される評価値が閾値以下になるまで継続される。すなわち、評価値が閾値以下であるとき測定光ＬＳのフォーカス状態が適正であると判断され、フォーカス微調整は、測定光ＬＳのフォーカス状態が適正であると判断されるまで継続される。
【０１０７】
いくつかの実施形態では、主制御部２１１は、上記のような反復的なＯＣＴ計測を行って干渉信号を取得しつつ、逐次に取得される干渉信号の強度（干渉強度、干渉感度）をモニタする。更に、このモニタ処理を行いながら、ＯＣＴ合焦レンズ４３を移動させることにより、干渉強度が最大となるようなＯＣＴ合焦レンズ４３の位置を探索する。このようなフォーカス微調整によれば、干渉強度が最適化されるような位置にＯＣＴ合焦レンズ４３を導くことができる。
【０１０８】
また、判定部２３１は、ＯＣＴ計測により得られた干渉光の検出結果を解析して、測定光ＬＳ及び参照光ＬＲの少なくとも一方の偏波状態を判定する。例えば、主制御部２１１は、偏波コントローラ１０３、１１８の少なくとも一方を所定のアルゴリズムにしたがって制御しつつ、反復的なＯＣＴ計測を行う。いくつかの実施形態では、主制御部２１１は、アッテネータ１２０を制御して、参照光ＬＲの減衰量を変更する。判定部２３１は、ＯＣＴ計測により繰り返し取得される干渉光ＬＣの検出結果を解析することで、ＯＣＴ画像の画質に関する所定の評価値を算出する。判定部２３１は、算出された評価値が閾値以下であるか否か判定する。この閾値はあらかじめ設定される。偏波調整は、算出される評価値が閾値以下になるまで継続される。すなわち、評価値が閾値以下であるとき測定光ＬＳの偏波状態が適正であると判断され、偏波調整は、測定光ＬＳの偏波状態が適正であると判断されるまで継続される。
【０１０９】
いくつかの実施形態では、主制御部２１１は、偏波調整においても干渉強度をモニタすることが可能である。
【０１１０】
解析部２３２は、ＯＣＴ計測により得られた干渉光の検出結果、又は当該検出結果に基づいて形成されたＯＣＴ画像に対して所定の解析処理を行う。所定の解析処理には、被検眼Ｅにおける所定の部位（組織、病変部）の特定；指定された部位間の距離（層間距離）、面積、角度、比率、密度の算出；指定された計算式による演算；所定の部位の形状の特定；これらの統計値の算出；計測値、統計値の分布の算出；これら解析処理結果に基づく画像処理などがある。所定の組織には、血管、視神経乳頭、中心窩、黄斑などがある。所定の病変部には、白斑、出血などがある。
【０１１１】
以上のように機能するデータ処理部２３０は、例えば、前述のマイクロプロセッサ、ＲＡＭ、ＲＯＭ、ハードディスクドライブ、回路基板等を含んで構成される。ハードディスクドライブ等の記憶装置には、上記機能をマイクロプロセッサに実行させるコンピュータプログラムがあらかじめ格納されている。
【０１１２】
（ユーザインターフェイス）
ユーザインターフェイス２４０には、表示部２４０Ａと操作部２４０Ｂとが含まれる。表示部２４０Ａは、前述した演算制御ユニット２００の表示デバイスや表示装置３を含んで構成される。操作部２４０Ｂは、前述した演算制御ユニット２００の操作デバイスを含んで構成される。操作部２４０Ｂには、眼科装置１の筐体や外部に設けられた各種のボタンやキーが含まれていてもよい。例えば眼底カメラユニット２が従来の眼底カメラと同様の筺体を有する場合、操作部２４０Ｂは、この筺体に設けられたジョイスティックや操作パネル等を含んでいてもよい。また、表示部２４０Ａは、眼底カメラユニット２の筺体に設けられたタッチパネルなどの各種表示デバイスを含んでいてもよい。
【０１１３】
なお、表示部２４０Ａと操作部２４０Ｂは、それぞれ個別のデバイスとして構成される必要はない。例えばタッチパネルのように、表示機能と操作機能とが一体化されたデバイスを用いることも可能である。その場合、操作部２４０Ｂは、このタッチパネルとコンピュータプログラムとを含んで構成される。操作部２４０Ｂに対する操作内容は、電気信号として制御部２１０に入力される。また、表示部２４０Ａに表示されたグラフィカルユーザインターフェイス（ＧＵＩ）と、操作部２４０Ｂとを用いて、操作や情報入力を行うようにしてもよい。
【０１１４】
ＯＣＴユニット１００に含まれる光学系は、実施形態に係る「干渉光学系」の一例である。ＤＡＱ１３０は、実施形態に係る「サンプリング部」の一例である。画像形成部２２０又はデータ処理部２３０は、実施形態に係る「画像形成部」の一例である。ＯＣＴ合焦レンズ４３は、実施形態に係る「合焦レンズ」の一例である。光路長変更部４１又はコーナーキューブ１１４及び参照駆動部１１４Ａは、実施形態に係る「光路長差変更部」の一例である。
【０１１５】
［動作］
実施形態に係る眼科装置１の動作について説明する。
【０１１６】
（第１動作例）
第１動作例では、互いに計測範囲が異なる２つの計測モードでＯＣＴ計測が連続的に実行される。例えば、主として眼底又はその近傍に対して詳細にＯＣＴ計測を行う場合、２つの計測モードは、全眼球ＯＣＴ計測モード、眼底ＯＣＴ計測モード、及びＯＣＴＡ計測モードのいずれか２つである。例えば、主として前眼部又はその近傍に対して詳細にＯＣＴ計測を行う場合、２つの計測モードは、全眼球ＯＣＴ計測モード及び前眼部ＯＣＴ計測モードである。
【０１１７】
図６に、実施形態に係る眼科装置１の第１動作例の原理的なフローチャートを示す。
【０１１８】
（Ｓ１：アライメント）
主制御部２１１は、アライメントを実行する。すなわち、主制御部２１１は、アライメント光学系５０を制御して、被検眼Ｅにアライメント指標を投影させる。このとき、被検眼Ｅには、ＬＣＤ３９による固視標も投影される。主制御部２１１は、例えばイメージセンサ３５により取得された受光像に基づいて特定された光学系の移動量に基づいて移動機構１５０を制御し、被検眼Ｅに対して光学系を当該移動量だけ相対的に移動させる。主制御部２１１は、この処理を繰り返し実行させる。ステップＳ１は、実施形態に係る「予備制御ステップ」の一例である。
【０１１９】
いくつかの実施形態では、ステップＳ１におけるアライメント完了後に、上記のアライメント粗調整及びアライメント微調整が行われる。
【０１２０】
（Ｓ２：第１計測モード用の波長掃引速度を設定）
主制御部２１１は、光源ユニット１０１の光源１４０に対し第１計測モード用の波長掃引速度を設定する。それにより、光源１４０は、設定された波長掃引速度で所定の波長範囲掃引を開始する。光源ユニット１０１の光選択出力器１４４は設定された波長掃引速度に対応したＭＺＩ１４３からの合成光を選択出力するため、クロックＫＣの周波数は変化しない。
【０１２１】
（Ｓ３：調整用断層像を取得）
続いて、主制御部２１１は、ＯＣＴユニット１００を制御してＯＣＴ仮計測を実行させ、深さ方向の基準位置を調整するための調整用断層像を取得する。具体的には、主制御部２１１は、光スキャナ４２を制御することにより、光源ユニット１０１から出射された光Ｌ０に基づいて生成された測定光ＬＳを偏向し、偏向された測定光ＬＳで被検眼Ｅの所定部位（例えば眼底）をスキャンさせる。測定光ＬＳのスキャンにより得られた干渉光の検出結果は、クロックＫＣに同期してサンプリングされた後、画像形成部２２０に送られる。画像形成部２２０は、得られた干渉信号から被検眼Ｅの断層像（ＯＣＴ画像）を形成する。
【０１２２】
（Ｓ４：深さ方向の基準位置を調整）
続いて、主制御部２１１は、深さ方向（ｚ方向）の計測範囲の基準位置を調整する。具体的には、主制御部２１１は、ステップＳ３において得られた断層像における所定の部位（例えば、強膜）を解析部２３２に特定させ、特定された所定の部位の位置に対して深さ方向に所定の距離だけ離れた位置を計測範囲の基準位置として設定する。ステップＳ４は、実施形態に係る「光路長差調整制御ステップ」の一例である。
【０１２３】
（Ｓ５：フォーカス調整、偏波調整）
次に、主制御部２１１は、フォーカス調整制御及び偏波調整制御を実行する。
【０１２４】
例えば、主制御部２１１は、合焦駆動部４３Ａを制御してＯＣＴ合焦レンズ４３を所定の距離だけ移動させた後、ＯＣＴユニット１００を制御してＯＣＴ計測を実行させる。主制御部２１１は、上記のように、ＯＣＴ計測により得られた干渉光の検出結果に基づいて測定光ＬＳのフォーカス状態を判定部２３１に判定させる。判定部２３１による判定結果に基づいて測定光ＬＳのフォーカス状態が適正ではないと判断されたとき、主制御部２１１は、再び合焦駆動部４３Ａの制御を行い、フォーカス状態が適正であると判断されるまで繰り返す。ステップＳ５は、実施形態に係る「フォーカス制御ステップ」の一例である。
【０１２５】
また、例えば、主制御部２１１は、偏波コントローラ１０３、１１８の少なくとも一方を制御して光Ｌ０及び測定光ＬＳの少なくとも一方の偏波状態を所定の量だけ変更した後、ＯＣＴユニット１００を制御してＯＣＴ計測を実行させ、取得された干渉光の検出結果に基づくＯＣＴ画像を画像形成部２２０に形成させる。主制御部２１１は、上記のように、ＯＣＴ計測により得られたＯＣＴ画像の画質を判定部２３１に判定させる。判定部２３１による判定結果に基づいて測定光ＬＳの偏波状態が適正ではないと判断されたとき、主制御部２１１は、再び偏波コントローラ１０３、１１８の制御を行い、偏波状態が適正であると判断されるまで繰り返す。ステップＳ５は、実施形態に係る「偏波調整制御ステップ」の一例である。
【０１２６】
（Ｓ６：干渉信号を取得）
続いて、主制御部２１１は、ＯＣＴユニット１００を制御してＯＣＴ計測を実行させる。当該ＯＣＴ計測により取得された干渉光の検出結果は、ＤＡＱ１３０においてサンプリングされ、干渉信号として記憶部２１２等に保存される。ステップＳ６は、実施形態に係る「第１計測制御ステップ」の一例である。
【０１２７】
（Ｓ７：第２計測モード用の波長掃引速度を設定）
主制御部２１１は、光源ユニット１０１の光源１４０に対し第２計測モード用の波長掃引速度を設定する。それにより、光源１４０は、設定された波長掃引速度で所定の波長範囲掃引を開始する。このとき、ステップＳ４において設定された深さ方向の基準位置を基準に計測範囲が変更される。光源ユニット１０１の光選択出力器１４４は設定された波長掃引速度に対応したＭＺＩ１４３からの合成光を選択出力するため、クロックＫＣの周波数は変化しない。ステップＳ７は、実施形態に係る「波長掃引速度制御ステップ」の一例である。
【０１２８】
（Ｓ８：干渉信号を取得）
続いて、主制御部２１１は、ＯＣＴユニット１００を制御してＯＣＴ計測を実行させる。当該ＯＣＴ計測により取得された干渉光の検出結果は、ＤＡＱ１３０においてサンプリングされ、干渉信号として記憶部２１２等に保存される。ステップＳ８は、実施形態に係る「第２計測制御ステップ」の一例である。
【０１２９】
（Ｓ９：干渉信号を解析・画像形成）
次に、主制御部２１１は、ステップＳ６において取得された干渉信号に基づいて被検眼ＥのＯＣＴ画像を画像形成部２２０に形成させる。同様に、主制御部２１１は、ステップＳ８において取得された干渉信号に基づいて被検眼ＥのＯＣＴ画像を画像形成部２２０に形成させる。更に、主制御部２１１は、形成されたＯＣＴ画像に対して所定の解析処理を解析部２３２に実行させる。ステップＳ９は、実施形態に係る「画像形成ステップ」の一例である。
【０１３０】
いくつかの実施形態では、主制御部２１１は、ステップＳ６において取得された干渉信号及びステップＳ８において取得された干渉信号の少なくとも一方に対して所定の解析処理を解析部２３２に実行させる。ステップＳ９は、実施形態に係る「解析ステップ」の一例である。
【０１３１】
以上で、眼科装置１の動作は終了である（エンド）。
【０１３２】
例えば、眼底のＯＣＴ撮影を行う場合、制御部２１０（主制御部２１１）は次のように眼科装置１の各部を制御することが可能である。
【０１３３】
図７に、実施形態に係る眼科装置１の第１動作例における例示的なフローチャートを示す。図７は、図６において、第１計測モードが全眼球ＯＣＴ撮影モードであり、第２計測モードが眼底ＯＣＴ撮影モードである場合のフローチャートを表す。
【０１３４】
（Ｓ１１：アライメント）
主制御部２１１は、ステップＳ１と同様に、アライメントを実行する。
【０１３５】
（Ｓ１２：全眼球ＯＣＴ撮影モード用の波長掃引速度を設定）
主制御部２１１は、ステップＳ２と同様に、光源ユニット１０１の光源１４０に対し全眼球ＯＣＴ撮影モードの波長掃引速度を設定する。それにより、光源１４０は、設定された波長掃引速度で所定の波長範囲掃引を開始する。
【０１３６】
（Ｓ１３：調整用断層像を取得）
続いて、主制御部２１１は、ステップＳ３と同様に、調整用断層像を取得する。
【０１３７】
（Ｓ１４：深さ方向の基準位置を強膜後方位置に設定）
続いて、主制御部２１１は、ステップＳ４と同様に、深さ方向（ｚ方向）の計測範囲の基準位置を調整する。
【０１３８】
図８Ａ及び図８Ｂに、実施形態に係る深さ方向の計測範囲の基準位置の説明図を示す。
【０１３９】
図８Ａは、主に眼底のＯＣＴ撮影を行う場合の深さ方向の基準位置と、各撮影モードで取得される断層像とを模式的に表す。前眼部から眼底までの範囲をＯＣＴ撮影する全眼球ＯＣＴ撮影における撮影範囲（計測範囲）は、主に眼底のＯＣＴ撮影する眼底ＯＣＴ撮影における撮影範囲より広い。眼底ＯＣＴ撮影における撮影範囲は、ＯＣＴＡ像を取得するためのＯＣＴＡ撮影における撮影範囲より広い。上記のようにＯＣＴ撮影の前に光路長差調整が行われるため、波長掃引速度を変更することにより、光路長差調整により設定される深さ方向の基準位置Ｚｒｅｆを基準に各撮影モードにおける撮影範囲が変更される。
【０１４０】
図８Ｂは、主に前眼部のＯＣＴ撮影を行う場合の深さ方向の基準位置と、各撮影モードで取得される断層像とを模式的に表す。前眼部から眼底までの範囲をＯＣＴ撮影する全眼球ＯＣＴ撮影における撮影範囲（計測範囲）は、主に前眼部のＯＣＴ撮影する前眼部ＯＣＴ撮影における撮影範囲より広い。上記のようにＯＣＴ撮影の前に光路長差調整が行われるため、波長掃引速度を変更することにより、光路長差調整により設定される深さ方向の基準位置Ｚｒｅｆを基準に各撮影モードにおける撮影範囲が変更される。
【０１４１】
ステップＳ１４では、主制御部２１１は、ステップＳ１３において得られた断層像において強膜に相当する部位を解析部２３２に特定させ、特定された強膜に相当する部位の位置に対して深さ方向に第１距離だけ離れた位置（強膜後方位置）を撮影範囲の基準位置Ｚｒｅｆとして設定する。
【０１４２】
（Ｓ１５：フォーカス調整、偏波調整）
次に、主制御部２１１は、ステップＳ５と同様に、フォーカス調整制御及び偏波調整制御を実行する。
【０１４３】
（Ｓ１６：干渉信号を取得）
続いて、主制御部２１１は、ステップＳ６と同様に、ＯＣＴユニット１００を制御してＯＣＴ計測を実行させることにより干渉信号を取得する。
【０１４４】
（Ｓ１７：眼底ＯＣＴ撮影モード用の波長掃引速度を設定）
主制御部２１１は、ステップＳ７と同様に、光源ユニット１０１の光源１４０に対し眼底ＯＣＴ撮影モードの波長掃引速度を設定する（図８Ａ参照）。それにより、光源１４０は、設定された波長掃引速度で所定の波長範囲掃引を開始する。
【０１４５】
（Ｓ１８：干渉信号を取得）
続いて、主制御部２１１は、ステップＳ８と同様に、ＯＣＴユニット１００を制御してＯＣＴ計測を実行させることにより干渉信号を取得する。
【０１４６】
（Ｓ１９：干渉信号を解析・画像形成）
次に、主制御部２１１は、ステップＳ９と同様に、ステップＳ１６において取得された干渉信号に基づいて被検眼Ｅの全眼球の断層像（ＯＣＴ画像）を画像形成部２２０に形成させる。同様に、主制御部２１１は、ステップＳ１８において取得された干渉信号に基づいて被検眼Ｅの眼底Ｅｆの断層像を画像形成部２２０に形成させる。更に、主制御部２１１は、形成された断層像に対して所定の解析処理を解析部２３２に実行させる。以上で、眼科装置１の動作は終了である（エンド）。
【０１４７】
なお、ステップＳ１４では、深さ方向の撮影範囲の基準位置Ｚｒｅｆを強膜後方位置に設定し、図８Ａに示すように全眼球ＯＣＴ撮影モード及び眼底ＯＣＴ撮影モードを連続的に実行する場合に説明したが、実施形態に係る眼科装置１の動作はこれに限定されるものではない。いくつかの実施形態では、ステップＳ１４では、深さ方向の撮影範囲の基準位置Ｚｒｅｆを角膜に対して第２距離だけ近い角膜前方位置に設定し、図８Ｂに示すように全眼球ＯＣＴ撮影モード及び眼底ＯＣＴ撮影モードを連続的に実行する。
【０１４８】
（第２動作例）
第１動作例では２つの計測モード（撮影モード）を連続的に実行する場合について説明したが、実施形態に係る眼科装置１の動作はこれに限定されるものではない。例えば、実施形態に係る眼科装置１は、３つの計測モード（撮影モード）を連続的に実行することが可能である。
【０１４９】
図９に、実施形態に係る眼科装置１の第２動作例のフローチャートを示す。図９は、互いに計測範囲が異なる３つの計測モードでＯＣＴ計測を連続的に実行する場合の動作例を表す。
【０１５０】
（Ｓ２１：アライメント）
主制御部２１１は、ステップＳ１１と同様に、アライメントを実行する。
【０１５１】
（Ｓ２２：全眼球ＯＣＴ撮影モード用の波長掃引速度を設定）
主制御部２１１は、ステップＳ１２と同様に、光源ユニット１０１の光源１４０に対し全眼球ＯＣＴ撮影モードの波長掃引速度を設定する。それにより、光源１４０は、設定された波長掃引速度で所定の波長範囲掃引を開始する。
【０１５２】
（Ｓ２３：調整用断層像を取得）
続いて、主制御部２１１は、ステップＳ１３と同様に、調整用断層像を取得する。
【０１５３】
（Ｓ２４：深さ方向の基準位置を強膜後方位置に設定）
続いて、主制御部２１１は、ステップＳ１４と同様に、深さ方向の撮影範囲の基準位置Ｚｒｅｆを強膜後方位置に設定する。
【０１５４】
（Ｓ２５：フォーカス調整、偏波調整）
次に、主制御部２１１は、ステップＳ１５と同様に、フォーカス調整制御及び偏波調整制御を実行する。
【０１５５】
（Ｓ２６：干渉信号を取得）
続いて、主制御部２１１は、ステップＳ１６と同様に、ＯＣＴユニット１００を制御してＯＣＴ計測を実行させることにより干渉信号を取得する。
【０１５６】
（Ｓ２７：眼底ＯＣＴ撮影モード用の波長掃引速度を設定）
主制御部２１１は、ステップＳ１７と同様に、光源ユニット１０１の光源１４０に対し眼底ＯＣＴ撮影モードの波長掃引速度を設定する（図８Ａ参照）。それにより、光源１４０は、設定された波長掃引速度で所定の波長範囲掃引を開始する。
【０１５７】
（Ｓ２８：干渉信号を取得）
続いて、主制御部２１１は、ステップＳ１８と同様に、ＯＣＴユニット１００を制御してＯＣＴ計測を実行させることにより干渉信号を取得する。
【０１５８】
（Ｓ２９：ＯＣＴＡ撮影モード用の波長掃引速度を設定）
主制御部２１１は、ステップＳ７と同様に、光源ユニット１０１の光源１４０に対しＯＣＴＡ撮影モードの波長掃引速度を設定する（図８Ａ参照）。それにより、光源１４０は、設定された波長掃引速度で所定の波長範囲掃引を開始する。
【０１５９】
（Ｓ３０：干渉信号を取得）
続いて、主制御部２１１は、ステップＳ８と同様に、ＯＣＴユニット１００を制御してＯＣＴ計測を実行させることにより干渉信号を取得する。
【０１６０】
（Ｓ３１：干渉信号を解析・画像形成）
次に、主制御部２１１は、ステップＳ２６において取得された干渉信号に基づいて被検眼Ｅの全眼球の断層像を画像形成部２２０に形成させる。同様に、主制御部２１１は、ステップＳ２８において取得された干渉信号に基づいて被検眼Ｅの眼底Ｅｆの断層像を画像形成部２２０に形成させる。更に、主制御部２１１は、ステップＳ３０において取得された干渉信号に基づいて被検眼Ｅの眼底Ｅｆの断層像を画像形成部２２０に形成させ、形成された断層像に基づいてＯＣＴＡ像をデータ処理部２３０に形成させる。
【０１６１】
また、主制御部２１１は、形成された断層像及びＯＣＴＡ像に対して所定の解析処理を解析部２３２に実行させる。以上で、眼科装置１の動作は終了である（エンド）。
【０１６２】
（第３動作例）
いくつかの実施形態では、ＯＣＴ撮影の前に、眼の疾患の種別に対応した複数の動作モードのいずれかが指定される。各動作モードは、疾患の種別に応じて連続的に実行される２以上の計測モードがあらかじめ決められている。
【０１６３】
図１０に、実施形態に係る眼科装置１の第３動作例の原理的のフローチャートを示す。図１０は、第１動作モードと第２動作モードのいずれかで実行可能な眼科装置１の動作例を表すが、３以上の動作モードのいずれかで実行する場合も同様である。
【０１６４】
（Ｓ４１：動作モードを選択）
主制御部２１１は、動作内容があらかじめ決められた複数の動作モードの１つを選択するためのユーザの指示を待つ。ユーザは、操作部２４０Ｂに対して所定の操作を行うことにより所望の動作モードを選択する。
【０１６５】
（Ｓ４２：第１動作モード？）
主制御部２１１は、操作部２４０Ｂに対する操作内容に基づいて、ユーザにより指定された動作モードを特定し、特定された動作モードが第１動作モードであるか否かを判定する。
【０１６６】
ステップＳ４１において指定された動作モードが第１動作モードであると判定されたとき（Ｓ４２：Ｙ）、眼科装置１の動作はステップＳ４３に移行する。ステップＳ４１において指定された動作モードが第１動作モードではないと判定されたとき（Ｓ４２：Ｎ）、眼科装置１の動作はステップＳ４４に移行する。
【０１６７】
（Ｓ４３：第１動作モードで連続計測）
ステップＳ４１において指定された動作モードが第１動作モードであると判定されたとき（Ｓ４２：Ｙ）、主制御部２１１は、第１動作モードにおいて規定された２以上の計測モードを連続的に実行するように眼科装置１の各部を制御する。以上で、眼科装置１の動作は終了である（エンド）。
【０１６８】
（Ｓ４４：第２動作モード？）
ステップＳ４１において指定された動作モードが第１動作モードではないと判定されたとき（Ｓ４２：Ｎ）、主制御部２１１は、操作部２４０Ｂに対する操作内容に基づいて、ユーザにより指定された動作モードが第２動作モードであるか否かを判定する。
【０１６９】
ステップＳ４１において指定された動作モードが第２動作モードであると判定されたとき（Ｓ４４：Ｙ）、眼科装置１の動作はステップＳ４５に移行する。ステップＳ４１において指定された動作モードが第２動作モードではないと判定されたとき（Ｓ４４：Ｎ）、眼科装置１の動作は終了である（エンド）。
【０１７０】
（Ｓ４５：第２動作モードで連続計測）
ステップＳ４１において指定された動作モードが第２動作モードであると判定されたとき（Ｓ４４：Ｙ）、主制御部２１１は、第２動作モードにおいて規定された２以上の計測モードを連続的に実行するように眼科装置１の各部を制御する。以上で、眼科装置１の動作は終了である（エンド）。
【０１７１】
例えば、図１０において、糖尿病網膜症用の撮影モード又は網膜剥離用の撮影モードで実行可能な場合、制御部２１０（主制御部２１１）は次のように眼科装置１の各部を制御することが可能である。
【０１７２】
図１１〜図１３に、実施形態に係る眼科装置１の第３動作例における例示的なフローチャートを示す。図１１は、図１０において、第１動作モードが糖尿病網膜症用撮影モードであり、第２動作モードが網膜剥離用撮影モードである場合のフローチャートを表す。図１２は、ステップＳ５３の糖尿病網膜症用撮影モードにおける眼科装置１の動作例のフローチャートを表す。図１３は、ステップＳ５５の網膜剥離用撮影モードにおける眼科装置１の動作例のフローチャートを表す。
【０１７３】
（Ｓ５１：撮影モードを選択）
主制御部２１１は、ステップＳ４１と同様に、動作内容があらかじめ決められた複数の撮影モードの１つを選択するためのユーザの指示を待つ。ユーザは、操作部２４０Ｂに対して所定の操作を行うことにより所望の撮影モードを選択する。
【０１７４】
いくつかの実施形態では、別途に得られた被検眼Ｅの眼底Ｅｆの画像（ＯＣＴ画像、眼底画像等）の解析結果に基づいて特定された眼疾患の種別に応じて撮影モードが自動的に選択される。
【０１７５】
（Ｓ５２：糖尿病網膜症用撮影モード？）
主制御部２１１は、ステップＳ４２と同様に、操作部２４０Ｂに対する操作内容に基づいて、ユーザにより指定された撮影モードを特定し、特定された撮影モードが糖尿病網膜症用撮影モードであるか否かを判定する。
【０１７６】
ステップＳ５１において指定された撮影モードが糖尿病網膜症用撮影モードであると判定されたとき（Ｓ５２：Ｙ）、眼科装置１の動作はステップＳ５３に移行する。ステップＳ５１において指定された撮影モードが糖尿病網膜症用撮影モードではないと判定されたとき（Ｓ５２：Ｎ）、眼科装置１の動作はステップＳ５４に移行する。
【０１７７】
（Ｓ５３：糖尿病網膜症用撮影モードで連続撮影）
ステップＳ５１において指定された撮影モードが糖尿病網膜症用撮影モードであると判定されたとき（Ｓ５２：Ｙ）、主制御部２１１は、糖尿病網膜症用撮影モードにおいて規定された２以上の撮影モードを連続的に実行するように眼科装置１の各部を制御する。ステップＳ５３の詳細については後述する。以上で、眼科装置１の動作は終了である（エンド）。
【０１７８】
（Ｓ５４：網膜剥離用撮影モード？）
ステップＳ５１において指定された動作モードが糖尿病網膜症用撮影モードではないと判定されたとき（Ｓ５２：Ｎ）、主制御部２１１は、操作部２４０Ｂに対する操作内容に基づいて、ユーザにより指定された撮影モードが網膜剥離用撮影モードであるか否かを判定する。
【０１７９】
ステップＳ５１において指定された撮影モードが網膜剥離用撮影モードであると判定されたとき（Ｓ５４：Ｙ）、眼科装置１の動作はステップＳ５５に移行する。ステップＳ５１において指定された撮影モードが網膜剥離用撮影モードではないと判定されたとき（Ｓ５４：Ｎ）、眼科装置１の動作は終了である（エンド）。
【０１８０】
（Ｓ５５：網膜剥離用撮影モードで連続撮影）
ステップＳ５１において指定された撮影モードが網膜剥離用撮影モードであると判定されたとき（Ｓ５４：Ｙ）、主制御部２１１は、網膜剥離用撮影モードにおいて規定された２以上の撮影モードを連続的に実行するように眼科装置１の各部を制御する。ステップＳ５５の詳細については後述する。以上で、眼科装置１の動作は終了である（エンド）。
【０１８１】
ステップＳ５３において、主制御部２１１は、図１２に示すように眼科装置１の各部を制御する。
【０１８２】
（Ｓ６１：アライメント）
主制御部２１１は、ステップＳ１１と同様に、アライメントを実行する。
【０１８３】
（Ｓ６２：眼底ＯＣＴ撮影モード用の波長掃引速度を設定）
主制御部２１１は、ステップＳ１２と同様に、光源ユニット１０１の光源１４０に対し眼底ＯＣＴ撮影モードの波長掃引速度を設定する。
【０１８４】
（Ｓ６３：調整用断層像を取得）
続いて、主制御部２１１は、ステップＳ１３と同様に、調整用断層像を取得する。
【０１８５】
（Ｓ６４：深さ方向の基準位置を強膜後方位置に設定）
続いて、主制御部２１１は、ステップＳ１４と同様に、深さ方向（ｚ方向）の撮影範囲の基準位置Ｚｒｅｆを強膜後方位置に設定する。
【０１８６】
（Ｓ６５：フォーカス調整、偏波調整）
次に、主制御部２１１は、ステップＳ１５と同様に、フォーカス調整制御及び偏波調整制御を実行する。
【０１８７】
（Ｓ６６：干渉信号を取得）
続いて、主制御部２１１は、ステップＳ１６と同様に、ＯＣＴユニット１００を制御してＯＣＴ計測を実行させることにより干渉信号を取得する。
【０１８８】
（Ｓ６７：ＯＣＴＡ撮影モード用の波長掃引速度を設定）
主制御部２１１は、ステップＳ１７と同様に、光源ユニット１０１の光源１４０に対しＯＣＴＡ撮影モードの波長掃引速度を設定する（図８Ａ参照）。
【０１８９】
（Ｓ６８：干渉信号を取得）
続いて、主制御部２１１は、ステップＳ１８と同様に、ＯＣＴユニット１００を制御してＯＣＴ計測を実行させることにより干渉信号を取得する。
【０１９０】
（Ｓ６９：干渉信号を解析・画像形成）
次に、主制御部２１１は、ステップＳ１９と同様に、ステップＳ６６において取得された干渉信号に基づいて被検眼Ｅの眼底Ｅｆの断層像（ＯＣＴ画像）を画像形成部２２０に形成させる。同様に、主制御部２１１は、ステップＳ６８において取得された干渉信号に基づいて被検眼Ｅの眼底Ｅｆの断層像を画像形成部２２０に形成させ、形成された断層像に基づいてＯＣＴＡ像をデータ処理部２３０に形成させる。
【０１９１】
また、主制御部２１１は、形成された断層像及びＯＣＴＡ像に対して所定の解析処理を解析部２３２に実行させる。以上で、ステップＳ５３の動作は終了である（エンド）。
【０１９２】
ステップＳ５５において、主制御部２１１は、図１３に示すように眼科装置１の各部を制御する。
【０１９３】
（Ｓ７１：アライメント）
主制御部２１１は、ステップＳ６１と同様に、アライメントを実行する。
【０１９４】
（Ｓ７２：眼底ＯＣＴ撮影モード用の波長掃引速度を設定）
主制御部２１１は、ステップＳ６２と同様に、光源ユニット１０１の光源１４０に対し全眼球ＯＣＴ撮影モードの波長掃引速度を設定する。
【０１９５】
（Ｓ７３：調整用断層像を取得）
続いて、主制御部２１１は、ステップＳ６３と同様に、調整用断層像を取得する。
【０１９６】
（Ｓ７４：深さ方向の基準位置を強膜後方位置に設定）
続いて、主制御部２１１は、ステップＳ６４と同様に、深さ方向（ｚ方向）の撮影範囲の基準位置Ｚｒｅｆを強膜後方位置に設定する。
【０１９７】
（Ｓ７５：フォーカス調整、偏波調整）
次に、主制御部２１１は、ステップＳ６５と同様に、フォーカス調整制御及び偏波調整制御を実行する。
【０１９８】
（Ｓ７６：干渉信号を取得）
続いて、主制御部２１１は、ステップＳ６６と同様に、ＯＣＴユニット１００を制御してＯＣＴ計測を実行させることにより干渉信号を取得する。
【０１９９】
（Ｓ７７：ＯＣＴＡ撮影モード用の波長掃引速度を設定）
主制御部２１１は、ステップＳ６７と同様に、光源ユニット１０１の光源１４０に対し眼底ＯＣＴ撮影モードの波長掃引速度を設定する（図８Ａ参照）。
【０２００】
（Ｓ７８：干渉信号を取得）
続いて、主制御部２１１は、ステップＳ６８と同様に、ＯＣＴユニット１００を制御してＯＣＴ計測を実行させることにより干渉信号を取得する。
【０２０１】
（Ｓ７９：干渉信号を解析・画像形成）
次に、主制御部２１１は、ステップＳ６９と同様に、ステップＳ７６において取得された干渉信号に基づいて被検眼Ｅの全眼球の断層像（ＯＣＴ画像）を画像形成部２２０に形成させる。同様に、主制御部２１１は、ステップＳ７８において取得された干渉信号に基づいて被検眼Ｅの眼底Ｅｆの断層像を画像形成部２２０に形成させる。
【０２０２】
また、主制御部２１１は、形成された断層像に対して所定の解析処理を解析部２３２に実行させる。以上で、ステップＳ５５の動作は終了である（エンド）。
【０２０３】
（第４動作例）
上記の動作例では、主として眼底又はその近傍に対して詳細にＯＣＴ計測を行う場合に２つの計測モード（撮影モード）を連続的に実行する場合について説明したが、実施形態にかかる眼科装置１の動作はこれに限定されるものではない。例えば、主として眼底又はその近傍に対する詳細なＯＣＴ計測と主として前眼部又はその近傍に対する詳細なＯＣＴ計測とを連続的に実行してもよい。
【０２０４】
図１４に、実施形態に係る眼科装置１の第４動作例のフローチャートを示す。図１４は、前眼部又はその近傍に対する詳細なＯＣＴ計測において互いに計測範囲が異なる２つの計測モードでＯＣＴ計測を連続的に実行した後、眼底又はその近傍に対する詳細なＯＣＴ計測において互いに計測範囲が異なる２つの計測モードでＯＣＴ計測を連続的に実行する場合の動作例を表す。
【０２０５】
図１４では、主制御部２１１が合焦駆動部４３Ａを制御することにより、被検眼Ｅに照射される測定光ＬＳが平行光束になるようにＯＣＴ合焦レンズ４３が事前に移動されているものとする。
【０２０６】
（Ｓ８１：アライメント）
主制御部２１１は、ステップＳ１１と同様に、アライメントを実行する。
【０２０７】
（Ｓ８２：全眼球ＯＣＴ撮影モード用の波長掃引速度を設定）
主制御部２１１は、ステップＳ１２と同様に、光源ユニット１０１の光源１４０に対し全眼球ＯＣＴ撮影モードの波長掃引速度を設定する。
【０２０８】
（Ｓ８３：調整用断層像を取得）
続いて、主制御部２１１は、ステップＳ１３と同様に、調整用断層像を取得する。
【０２０９】
（Ｓ８４：深さ方向の基準位置を強膜後方位置に設定）
続いて、主制御部２１１は、ステップＳ１４と同様に、深さ方向の撮影範囲の基準位置Ｚｒｅｆを角膜前方位置に設定する（図８Ｂ参照）。
【０２１０】
（Ｓ８５：フォーカス調整、偏波調整）
次に、主制御部２１１は、ステップＳ１５と同様に、フォーカス調整制御及び偏波調整制御を実行する。
【０２１１】
（Ｓ８６：干渉信号を取得）
続いて、主制御部２１１は、ステップＳ１６と同様に、ＯＣＴユニット１００を制御してＯＣＴ計測を実行させることにより干渉信号を取得する。
【０２１２】
（Ｓ８７：眼底ＯＣＴ撮影モード用の波長掃引速度を設定）
主制御部２１１は、ステップＳ１７と同様に、光源ユニット１０１の光源１４０に対し眼底ＯＣＴ撮影モードの波長掃引速度を設定する（図８Ｂ参照）。
【０２１３】
（Ｓ８８：干渉信号を取得）
続いて、主制御部２１１は、ステップＳ１８と同様に、ＯＣＴユニット１００を制御してＯＣＴ計測を実行させることにより干渉信号を取得する。
【０２１４】
（Ｓ８９：眼底撮影モードに変更）
次に、主制御部２１１は、合焦駆動部４３Ａを制御することにより、測定光ＬＳの焦点位置が眼底Ｅｆ又はその近傍に配置されるようにＯＣＴ合焦レンズ４３を移動する。
【０２１５】
いくつかの実施形態では、ステップＳ８９において、ステップＳ８１に先立って被検眼Ｅと対物レンズ２２との間に配置された前置レンズが退避される。
【０２１６】
いくつかの実施形態では、ステップＳ８９において、ＯＣＴ合焦レンズ４３の移動後（又は前置レンズの退避後）に調整用断層像が新たに取得され、新たに取得された調整用断層像に基づいて深さ方向の撮影範囲の基準位置Ｚｒｅｆが強膜後方位置に設定される。いくつかの実施形態では、ステップＳ８９において、ステップＳ８５と同様に、フォーカス調整制御及び偏波調整制御の少なくとも一方が実行される。
【０２１７】
（Ｓ９０：眼底ＯＣＴ撮影モード用の波長掃引速度を設定）
主制御部２１１は、ステップＳ１７と同様に、光源ユニット１０１の光源１４０に対し眼底ＯＣＴ撮影モードの波長掃引速度を設定する（図８Ａ参照）。
【０２１８】
（Ｓ９１：干渉信号を取得）
続いて、主制御部２１１は、ステップＳ１８と同様に、ＯＣＴユニット１００を制御してＯＣＴ計測を実行させることにより干渉信号を取得する。
【０２１９】
（Ｓ９２：眼底ＯＣＴ撮影モード用の波長掃引速度を設定）
主制御部２１１は、ステップＳ１７と同様に、光源ユニット１０１の光源１４０に対しＯＣＴＡ撮影モードの波長掃引速度を設定する（図８Ａ参照）。
【０２２０】
（Ｓ９３：干渉信号を取得）
続いて、主制御部２１１は、ステップＳ１８と同様に、ＯＣＴユニット１００を制御してＯＣＴ計測を実行させることにより干渉信号を取得する。
【０２２１】
（Ｓ９４：干渉信号を解析・画像形成）
次に、主制御部２１１は、ステップＳ８６において取得された干渉信号に基づいて被検眼Ｅの全眼球の断層像を画像形成部２２０に形成させる。同様に、主制御部２１１は、ステップＳ８８において取得された干渉信号に基づいて被検眼Ｅの前眼部Ｅａの断層像を画像形成部２２０に形成させる。
【０２２２】
更に、主制御部２１１は、ステップＳ９１において取得された干渉信号に基づいて被検眼Ｅの眼底Ｅｆの断層像を画像形成部２２０に形成させる。同様に、主制御部２１１は、ステップＳ９３において取得された干渉信号に基づいて被検眼Ｅの眼底Ｅｆの断層像を画像形成部２２０に形成させ、形成された断層像に基づいてＯＣＴＡ像をデータ処理部２３０に形成させる。
【０２２３】
また、主制御部２１１は、形成された断層像及びＯＣＴＡ像に対して所定の解析処理を解析部２３２に実行させる。以上で、眼科装置１の動作は終了である（エンド）。
【０２２４】
［効果］
実施形態に係る眼科装置、及びその制御方法について説明する。
【０２２５】
いくつかの実施形態に係る眼科装置（１）は、干渉光学系（ＯＣＴユニット１００に含まれる光学系）と、サンプリング部（ＤＡＱ１３０）と、制御部（２１０、主制御部２１１）とを含む。干渉光学系は、波長掃引速度を変更可能な波長掃引光源（光源１４０）からの光（Ｌ０）を測定光（ＬＳ）と参照光（ＬＲ）とに分割し、測定光を被検眼（Ｅ）に照射し、被検眼からの戻り光と参照光との干渉光（ＬＣ）を検出する。サンプリング部は、所定のサンプリング周波数で干渉光の検出結果をサンプリングする。制御部は、干渉光学系を制御することにより第１波長掃引速度で掃引される波長掃引光源からの光を用いてＯＣＴ計測を実行させる第１計測制御と、第１計測制御の後に波長掃引光源を制御することにより波長掃引速度を第２波長掃引速度に変更する波長掃引速度制御と、波長掃引速度制御の後に前記干渉光学系を制御することにより第２波長掃引速度で掃引される波長掃引光源からの光を用いてＯＣＴ計測を実行させる第２計測制御とを行う。
【０２２６】
このような構成によれば、波長掃引速度を変更して干渉光学系により得られた干渉光の検出結果を所定のサンプリング周波数でサンプリングするようにしたので、深さ方向の計測範囲を容易に変更することが可能になる。それにより、臨床研究用途、スクリーニング用途等において、波長掃引速度を変更しながら複数の計測範囲のＯＣＴ計測を容易に行うことができるため、ユーザによる設定の手間を省くことが可能になる。その結果、検者及び被検者への負担を軽減することができるようになる。
【０２２７】
いくつかの実施形態に係る眼科装置は、サンプリング部によりサンプリングされた検出結果に対して所定の解析処理を行う解析部（２３２）を含む。制御部は、第２計測制御の後に、第１計測制御により得られた検出結果及び第２計測制御により得られた検出結果の少なくとも１つに対して所定の解析処理を解析部に実行させる。
【０２２８】
このような構成によれば、波長掃引速度を変更しつつ第１計測制御及び第２計測制御を連続的に実行した後に、これらの計測制御により得られた検出結果に対して所定の解析処理を行うようにしたので、計測時間を短縮することが可能になる。その結果、検者及び被検者への負担をより一層軽減することができるようになる。
【０２２９】
いくつかの実施形態に係る眼科装置は、サンプリング部によりサンプリングされた検出結果に基づいて被検眼の画像（ＯＣＴ画像、断層像、ＯＣＴＡ像）を形成する画像形成部（２２０、データ処理部２３０）を含む。制御部は、第２計測制御の後に、第１計測制御により得られた検出結果及び第２計測制御により得られた検出結果の少なくとも１つに基づいて画像を画像形成部に形成させる。
【０２３０】
このような構成によれば、波長掃引速度を変更しつつ第１計測制御及び第２計測制御を連続的に実行した後に、これらの計測制御により得られた検出結果に基づいて画像を形成するようにしたので、計測時間を短縮することが可能になる。その結果、検者及び被検者への負担をより一層軽減することができるようになる。
【０２３１】
いくつかの実施形態に係る眼科装置は、被検眼と干渉光学系とを相対的に移動する移動機構（１５０）を含み、制御部は、第１計測制御の前に、移動機構を制御することにより被検眼に対する干渉光学系の位置を調整する予備制御を行う。
【０２３２】
このような構成によれば、被検眼に対する干渉光学系の位置合わせを自動に行ってから深さ方向の計測範囲を容易に変更することが可能になる。それにより、波長掃引速度を変更しながら複数の計測範囲のＯＣＴ計測を容易に行うことができるため、ユーザによる設定の手間を省くことが可能になる。その結果、検者及び被検者への負担を軽減することができるようになる。
【０２３３】
いくつかの実施形態に係る眼科装置では、干渉光学系は、測定光の光路に沿って移動可能な合焦レンズ（ＯＣＴ合焦レンズ４３）を含む。予備制御は、合焦レンズを移動することにより測定光の焦点位置を調整するフォーカス制御を含む。
【０２３４】
このような構成によれば、測定光の焦点位置を調整した後に波長掃引速度を変更しつつ第１計測制御及び第２計測制御を連続的に実行するようにしたので、ユーザによる設定の手間を省きつつ高精度なＯＣＴ計測結果を取得することが可能になる。
【０２３５】
いくつかの実施形態に係る眼科装置では、干渉光学系は、測定光の偏波状態を変更する偏波コントローラ（１０３、１１８）を含む。予備制御は、偏波コントローラを制御することにより測定光の偏波状態を調整する偏波調整制御を含む。
【０２３６】
このような構成によれば、測定光の偏波状態を調整した後に波長掃引速度を変更しつつ第１計測制御及び第２計測制御を連続的に実行するようにしたので、ユーザによる設定の手間を省きつつ高精度なＯＣＴ計測結果を取得することが可能になる。
【０２３７】
いくつかの実施形態に係る眼科装置では、干渉光学系は、測定光の光路と参照光の光路との光路長差を変更する光路長差変更部（光路長変更部４１、コーナーキューブ１１４及び参照駆動部１１４Ａ）を含む。制御部は、第１計測制御の前に光路長差変更部を制御することにより被検眼における所定の位置が深さ範囲（計測範囲、撮影範囲）の基準位置になるように光路長差を調整する光路長差調整制御を行う。
【０２３８】
このような構成によれば、測定光の光路と参照光の光路との光路長差を変更して深さ範囲の基準位置を設定するようにしたので、波長掃引速度を変更することにより基準位置を基準に深さ範囲が変更される。それにより、波長掃引速度を変更することで、被検眼の所望の部位が含まれるように計測範囲を容易に変更することができるようになる。
【０２３９】
いくつかの実施形態に係る眼科装置では、所定の位置は、強膜に対して第１距離だけ後方の位置（強膜後方位置）である。
【０２４０】
このような構成によれば、強膜に対して第１距離だけ後方の位置を基準に計測範囲を変更することができるので、波長掃引速度を変更することで、主に眼底又はその近傍を含む複数の計測範囲の計測結果を容易に取得することが可能になる。
【０２４１】
いくつかの実施形態に係る眼科装置では、所定の位置は、角膜に対して第２距離だけ前方の位置（角膜前方位置）である。
【０２４２】
このような構成によれば、角膜に対して第２距離だけ前方の位置を基準に計測範囲を変更することができるので、波長掃引速度を変更することで、主に角膜又はその近傍を含む複数の計測範囲の計測結果を容易に取得することが可能になる。
【０２４３】
いくつかの実施形態に係る眼科装置では、第１波長掃引速度及び第２波長掃引速度の一方は、角膜から強膜までの範囲を含む第１深さ範囲（全眼球ＯＣＴ撮影の範囲）に対応した波長掃引速度である。第１波長掃引速度及び第２波長掃引速度の他方は、第１深さ範囲より狭い第２深さ範囲（眼底ＯＣＴ撮影の範囲、前眼部ＯＣＴ撮影の範囲、ＯＣＴＡ撮影の範囲）に対応した波長掃引速度である。
【０２４４】
このような構成によれば、波長掃引速度を変更することにより角膜から強膜までの範囲を含む第１深さ範囲のＯＣＴ計測結果と、第１深さ範囲より狭い第２深さ範囲のＯＣＴ計測結果とを容易に取得することができる。
【０２４５】
いくつかの実施形態は、干渉光学系（ＯＣＴユニット１００に含まれる光学系）と、サンプリング部（ＤＡＱ１３０）と、制御部（２１０、主制御部２１１）とを含む眼科装置（１）の制御方法である。干渉光学系は、波長掃引速度を変更可能な波長掃引光源（光源１４０）からの光（Ｌ０）を測定光（ＬＳ）と参照光（ＬＲ）とに分割し、測定光を被検眼（Ｅ）に照射し、被検眼からの戻り光と参照光との干渉光（ＬＣ）を検出する。サンプリング部は、所定のサンプリング周波数で干渉光の検出結果をサンプリングする。移動機構は、被検眼と干渉光学系とを相対的に移動する。制御部は、少なくとも干渉光学系を制御する。眼科装置の制御方法は、制御部が干渉光学系を制御することにより第１波長掃引速度で掃引される波長掃引光源からの光を用いてＯＣＴ計測を実行させる第１計測制御ステップと、第１計測制御ステップの後に、制御部が波長掃引光源を制御することにより波長掃引速度を第２波長掃引速度に変更する波長掃引速度制御ステップと、波長掃引速度制御ステップの後に、制御部が予備制御ステップにおいて光学系が調整された状態の干渉光学系を制御することにより第２波長掃引速度で掃引される波長掃引光源からの光を用いてＯＣＴ計測を実行させる第２計測制御ステップと、を含む。
【０２４６】
このような制御によれば、波長掃引速度を変更して干渉光学系により得られた干渉光の検出結果を所定のサンプリング周波数でサンプリングするようにしたので、深さ方向の計測範囲を容易に変更することが可能になる。それにより、臨床研究用途、スクリーニング用途等において、波長掃引速度を変更しながら複数の計測範囲のＯＣＴ計測を容易に行うことができるため、ユーザによる設定の手間を省くことが可能になる。その結果、検者及び被検者への負担を軽減することができるようになる。
【０２４７】
いくつかの実施形態に係る眼科装置の制御方法では、眼科装置は、サンプリング部によりサンプリングされた検出結果に対して所定の解析処理を行う解析部（２３２）を含む。眼科装置の制御方法は、第２計測制御ステップの後に、制御部が第１計測制御ステップ及び第２計測制御ステップの少なくとも一方において得られた検出結果に対して所定の解析処理を解析部に実行させる解析ステップを含む。
【０２４８】
このような制御によれば、波長掃引速度を変更しつつ第１計測制御ステップ及び第２計測制御ステップを連続的に実行した後に、これらの計測制御ステップにより得られた検出結果に対して所定の解析処理を行うようにしたので、計測時間を短縮することが可能になる。その結果、検者及び被検者への負担をより一層軽減することができるようになる。
【０２４９】
いくつかの実施形態に係る眼科装置の制御方法では、眼科装置は、サンプリング部によりサンプリングされた検出結果に基づいて被検眼の画像（ＯＣＴ画像、断層像、ＯＣＴＡ像）を形成する画像形成部（２２０、データ処理部２３０）を含む。眼科装置の制御方法は、第２計測制御ステップの後に、制御部が第１計測制御ステップ及び第２計測制御ステップの少なくとも一方において得られた検出結果に基づいて画像を画像形成部に形成させる画像形成ステップを含む。
【０２５０】
このような制御によれば、波長掃引速度を変更しつつ第１計測制御ステップ及び第２計測制御ステップを連続的に実行した後に、これらの計測制御ステップにより得られた検出結果に基づいて画像を形成するようにしたので、計測時間を短縮することが可能になる。その結果、検者及び被検者への負担をより一層軽減することができるようになる。
【０２５１】
いくつかの実施形態に係る眼科装置の制御方法では、眼科装置は、被検眼と干渉光学系とを相対的に移動する移動機構（１５０）を含み、第１計測制御ステップの前に、制御部が移動機構を制御することにより被検眼に対する干渉光学系の位置を調整する予備制御ステップを含む。
【０２５２】
このような構成によれば、被検眼に対する干渉光学系の位置合わせを自動に行ってから深さ方向の計測範囲を容易に変更することが可能になる。それにより、波長掃引速度を変更しながら複数の計測範囲のＯＣＴ計測を容易に行うことができるため、ユーザによる設定の手間を省くことが可能になる。その結果、検者及び被検者への負担を軽減することができるようになる。
【０２５３】
いくつかの実施形態に係る眼科装置の制御方法では、干渉光学系は、測定光の光路に沿って移動可能な合焦レンズ（ＯＣＴ合焦レンズ４３）を含む。予備制御ステップは、合焦レンズを移動することにより測定光の焦点位置を調整するフォーカス制御ステップを含む。
【０２５４】
このような制御によれば、測定光の焦点位置を調整した後に波長掃引速度を変更しつつ第１計測制御ステップ及び第２計測制御ステップを連続的に実行するようにしたので、ユーザによる設定の手間を省きつつ高精度なＯＣＴ計測結果を取得することが可能になる。
【０２５５】
いくつかの実施形態に係る眼科装置の制御方法では、干渉光学系は、測定光の偏波状態を変更する偏波コントローラ（１０３、１１８）を含む。予備制御ステップは、偏波コントローラを制御することにより測定光の偏波状態を調整する偏波調整制御ステップを含む。
【０２５６】
このような制御によれば、測定光の偏波状態を調整した後に波長掃引速度を変更しつつ第１計測制御ステップ及び第２計測制御ステップを連続的に実行するようにしたので、ユーザによる設定の手間を省きつつ高精度なＯＣＴ計測結果を取得することが可能になる。
【０２５７】
いくつかの実施形態に係る眼科装置の制御方法では、干渉光学系は、測定光の光路と参照光の光路との光路長差を変更する光路長差変更部（光路長変更部４１、コーナーキューブ１１４及び参照駆動部１１４Ａ）を含む。眼科装置の制御方法は、第１計測制御ステップの前に光路長差変更部を制御することにより被検眼における所定の位置が深さ範囲（計測範囲、撮影範囲）の基準位置になるように光路長差を調整する光路長差調整制御ステップを含む。
【０２５８】
このような制御によれば、測定光の光路と参照光の光路との光路長差を変更して深さ範囲の基準位置を設定するようにしたので、波長掃引速度を変更することにより基準位置を基準に深さ範囲が変更される。それにより、波長掃引速度を変更することで、被検眼の所望の部位が含まれるように計測範囲を容易に変更することができるようになる。
【０２５９】
いくつかの実施形態に係る眼科装置の制御方法では、所定の位置は、強膜に対して第１距離だけ後方の位置（強膜後方位置）である。
【０２６０】
このような制御によれば、強膜に対して第１距離だけ後方の位置を基準に計測範囲を変更することができるので、波長掃引速度を変更することで、主に眼底又はその近傍を含む複数の計測範囲の計測結果を容易に取得することが可能になる。
【０２６１】
いくつかの実施形態に係る眼科装置の制御方法では、所定の位置は、角膜に対して第２距離だけ前方の位置（角膜前方位置）である。
【０２６２】
このような制御によれば、角膜に対して第２距離だけ前方の位置を基準に計測範囲を変更することができるので、波長掃引速度を変更することで、主に角膜又はその近傍を含む複数の計測範囲の計測結果を容易に取得することが可能になる。
【０２６３】
上記の実施形態では、クロックＫＣを用いて波数空間における干渉光の検出結果を時間空間における干渉光の検出結果に変換する場合（すなわち、ｋクロックを用いたｋ較正法）について説明したが、実施形態に係る眼科装置１の構成はこれに限定されるものではない。例えば、ｋ較正用のＭＺＩの干渉信号を、ＯＣＴ計測により得られた干渉信号と同時に取得し、データ処理部２３０により公知のｋ較正処理を施すことにより波数空間の干渉信号を時間空間の干渉信号に変換してもよい。
【０２６４】
上記の実施形態を実現するためのコンピュータプログラムを、コンピュータによって読み取り可能な任意の記録媒体に記憶させることができる。この記録媒体としては、例えば、半導体メモリ、光ディスク、光磁気ディスク（ＣＤ−ＲＯＭ／ＤＶＤ−ＲＡＭ／ＤＶＤ−ＲＯＭ／ＭＯ等）、磁気記憶媒体（ハードディスク／フロッピー（登録商標）ディスク／ＺＩＰ等）などを用いることが可能である。
【０２６５】
また、インターネットやＬＡＮ等のネットワークを通じてこのプログラムを送受信することも可能である。
【符号の説明】
【０２６６】
１  眼科装置
２  眼底カメラユニット
１０  照明光学系
３０  撮影光学系
３１  撮影合焦レンズ
４１  光路長変更部
４２  光スキャナ
４３  ＯＣＴ合焦レンズ
５０  アライメント光学系
６０  フォーカス光学系
１００  ＯＣＴユニット
１０１  光源ユニット
１４０  光源
２００  演算制御ユニット
２１０  制御部
２１１  主制御部
２１２  記憶部
２２０  画像形成部
２３０  データ処理部
２３１  判定部
２３２  解析部
２４０Ａ  表示部
２４０Ｂ  操作部
Ｅ  被検眼
ＬＳ  測定光
ＬＲ  参照光
ＬＣ  干渉光
【図１】
2020010889.tif 000005
【図２】
2020010889.tif 000006
【図３】
2020010889.tif 000007
【図４】
2020010889.tif 000008
【図５】
2020010889.tif 000009
【図６】
2020010889.tif 000010
【図７】
2020010889.tif 000011
【図８Ａ】
2020010889.tif 000012
【図８Ｂ】
2020010889.tif 000013
【図９】
2020010889.tif 000014
【図１０】
2020010889.tif 000015
【図１１】
2020010889.tif 000016
【図１２】
2020010889.tif 000017
【図１３】
2020010889.tif 000018
【図１４】
2020010889.tif 000019